(57)【特許請求の範囲】
【請求項１】
ニュートラルホストネットワークにおいてサービス発見情報（ＳＤＩ）を通信するための方法であって、前記方法は、ＵＥが実行し、
前記ニュートラルホストネットワークに関連する基地局を検出することと、
前記基地局が前記ニュートラルホストネットワークについてのＳＤＩを送信するようにスケジュールされていることを示すＳＤＩインジケータを含む前記基地局によるブロードキャストについてキャリアを監視することと、
前記ＳＤＩインジケータに基づいて、前記基地局が後続のブロードキャスト中で前記ニュートラルホストネットワークのための前記ＳＤＩを送信するようにスケジュールされているかどうかを決定することと、
前記基地局が前記ＳＤＩをブロードキャストするようにスケジュールされていないことを前記ＳＤＩインジケータが示すと決定することに少なくとも部分的に基づいて、前記基地局が前記ＳＤＩをブロードキャストすることを要求するために、ＳＤＩ要求を前記基地局に送信することと、
前記ＳＤＩ要求を送信することに基づいて、前記基地局による前記後続のブロードキャスト中で前記ＳＤＩを受信することと
を備える、方法。
【請求項２】
前記基地局が前記ニュートラルホストネットワークに関連することを検出することは、前記ブロードキャスト中でニュートラルホストネットワーク情報を受信することをさらに備え、ここにおいて、前記ニュートラルホストネットワーク情報が、前記基地局を前記ニュートラルホストネットワークに関連するものとして識別する、請求項１に記載の方法。
【請求項３】
前記ＳＤＩ要求を送信することが、前記ＳＤＩ要求を示すための値を有する物理ランダムアクセスチャネル（ＰＲＡＣＨ）要求を送信することを備える、請求項１に記載の方法。
【請求項４】
前記ＳＤＩ要求を送信することに応答して、前記ＳＤＩについて前記基地局の送信されるブロードキャストチャネルを監視することと、
前記ブロードキャストチャネル上で前記ＳＤＩを受信することと
をさらに備える、請求項１に記載の方法。
【請求項５】
前記ＳＤＩを受信することが、部分的ＳＤＩを受信することを備え、
前記基地局とのユニキャスト接続を確立することと、
前記ユニキャスト接続上で送られる物理ランダムアクセスチャネル（ＰＲＡＣＨ）メッセージ中で追加のＳＤＩについての要求を前記基地局に送信することと、
前記ユニキャスト接続上で前記基地局から前記追加のＳＤＩを受信することと
をさらに備える、請求項１に記載の方法。
【請求項６】
前記部分的ＳＤＩが、前記ニュートラルホストネットワークをサポートする１つまたは複数のサービスプロバイダまたはモバイルネットワーク事業者パブリックランドモバイルネットワークのインジケーションを備え、前記追加のＳＤＩは、オンライン証明プロビジョニングが前記１つまたは複数のサービスプロバイダのために利用可能であるかどうか、前記１つまたは複数のサービスプロバイダがオンラインサインアップを提供するかどうか、前記基地局によって提供される１つまたは複数のサービス、前記基地局によって提供される１つまたは複数のアクセスポイント名、または前記１つまたは複数のサービスプロバイダのためのアイコンのインジケーションのうちの少なくとも１つまたは複数を備える、請求項５に記載の方法。
【請求項７】
前記ＳＤＩが、前記ニュートラルホストネットワークをサポートする１つまたは複数のサービスプロバイダまたはモバイルネットワーク事業者パブリックランドモバイルネットワークのインジケーションを備える、請求項１に記載の方法。
【請求項８】
前記ＳＤＩは、オンライン証明プロビジョニングが前記１つまたは複数のサービスプロバイダのために利用可能であるかどうか、前記１つまたは複数のサービスプロバイダがオンラインサインアップを提供するかどうか、前記基地局によって提供される１つまたは複数のサービス、前記基地局によって提供される１つまたは複数のアクセスポイント名、または前記１つまたは複数のサービスプロバイダのためのアイコンのインジケーションのうちの少なくとも１つまたは複数をさらに備える、請求項７に記載の方法。
【請求項９】
ワイヤレスアクセスのための１つまたは複数の基地局の選択を可能にするように構成された前記ＵＥのユーザインターフェース上で与えられる前記１つまたは複数の基地局のリスト中に前記基地局を表示することをさらに備え、ここにおいて、１つまたは複数の基地局の前記リスト中に前記基地局を表示することが、前記ＳＤＩに少なくとも部分的に基づく、請求項１に記載の方法。
【請求項１０】
前記ユーザインターフェースを介した前記１つまたは複数の基地局の選択に基づいて、前記１つまたは複数の基地局との接続を開始することをさらに備える、請求項９に記載の方法。
【請求項１１】
前記ＳＤＩ中の好ましいサービスプロバイダまたは好ましいモバイルネットワーク事業者パブリックランドモバイルネットワークおよび対応する好ましいサービスを識別することと、
前記好ましいサービスプロバイダまたは前記好ましいモバイルネットワーク事業者パブリックランドモバイルネットワークおよび前記対応する好ましいサービスにアクセスするために、前記基地局との接続を開始することと
をさらに備える、請求項１に記載の方法。
【請求項１２】
前記キャリアを監視することは、前記基地局がＳＤＩを送信するようにスケジュールされていることを示す前記基地局によってブロードキャストされるシステム情報ブロックまたはマスタ情報ブロックについて前記キャリアを監視することを備える、請求項１に記載の方法。
【請求項１３】
ニュートラルホストネットワークにおいてサービス発見情報（ＳＤＩ）を通信するための装置であって、
トランシーバと、
前記ニュートラルホストネットワークにおいて信号を通信するためにバスを介して前記トランシーバと通信可能に結合された少なくとも１つのプロセッサと、
前記バスを介して前記少なくとも１つのプロセッサおよび／または前記トランシーバのうちの少なくとも１つと通信可能に結合されたメモリと
を備え、
ここにおいて、前記少なくとも１つのプロセッサは、
前記ニュートラルホストネットワークに関連する基地局を検出することと、
前記トランシーバを介して、前記基地局が前記ニュートラルホストネットワークについての前記ＳＤＩを送信するようにスケジュールされていることを示すＳＤＩインジケータを含む前記基地局によるブロードキャストについてキャリアを監視することと、
前記ＳＤＩインジケータに基づいて、前記基地局が後続のブロードキャスト中で前記ニュートラルホストネットワークのための前記ＳＤＩを送信するようにスケジュールされているかどうかを決定することと、
前記基地局が前記ＳＤＩをブロードキャストするようにスケジュールされていないことを前記ＳＤＩインジケータが示すと決定することに少なくとも部分的に基づいて、前記基地局が前記ＳＤＩをブロードキャストすることを要求するために、ＳＤＩ要求を前記基地局に送信することと、
前記トランシーバを介して、前記ＳＤＩ要求を送信することに基づいて、前記基地局による前記後続ののブロードキャスト中で前記ＳＤＩを受信することと
を行うように構成された、装置。
【請求項１４】
前記少なくとも１つのプロセッサは、前記ブロードキャスト中でニュートラルホストネットワーク情報を受信することに少なくとも部分的に基づいて、前記基地局が前記ニュートラルホストネットワークに関連することを検出するように構成され、ここにおいて、前記ニュートラルホストネットワーク情報が、前記基地局を前記ニュートラルホストネットワークに関連するものとして識別する、請求項１３に記載の装置。
【請求項１５】
前記少なくとも１つのプロセッサは、部分的ＳＤＩを受信するように構成され、
前記基地局とのユニキャスト接続を確立することと、
前記ユニキャスト接続上で送られる物理ランダムアクセスチャネル（ＰＲＡＣＨ）メッセージ中で追加のＳＤＩについての要求を前記基地局に送信することと、
前記ユニキャスト接続上で前記基地局から前記追加のＳＤＩを受信することと
を行うようにさらに構成された、請求項１３に記載の装置。
【請求項１６】
前記ＳＤＩが、前記ニュートラルホストネットワークをサポートする１つまたは複数のサービスプロバイダまたはモバイルネットワーク事業者パブリックランドモバイルネットワークのインジケーションを備える、請求項１３に記載の装置。
【請求項１７】
前記少なくとも１つのプロセッサは、ワイヤレスアクセスのための１つまたは複数の基地局の選択を可能にするように構成されたユーザインターフェース上で与えられる前記１つまたは複数の基地局のリスト中に前記基地局を表示するようにさらに構成され、ここにおいて、１つまたは複数の基地局の前記リスト中に前記基地局を表示することが、前記ＳＤＩに少なくとも部分的に基づく、請求項１３に記載の装置。
【請求項１８】
前記少なくとも１つのプロセッサが、
前記ＳＤＩ中の好ましいサービスプロバイダまたは好ましいモバイルネットワーク事業者パブリックランドモバイルネットワークおよび対応する好ましいサービスを識別することと、
前記好ましいサービスプロバイダまたは前記好ましいモバイルネットワーク事業者パブリックランドモバイルネットワークおよび前記対応する好ましいサービスにアクセスするために、前記基地局との接続を開始することと
を行うようにさらに構成された、請求項１３に記載の装置。
【請求項１９】
前記少なくとも１つのプロセッサは、前記基地局が前記ＳＤＩを送信するようにスケジュールされていることを示す前記基地局によってブロードキャストされるシステム情報ブロックまたはマスタ情報ブロックについて前記キャリアを監視するように構成された、請求項１３に記載の装置。
【請求項２０】
ニュートラルホストネットワークにおいてサービス発見情報（ＳＤＩ）を通信するための装置であって、
前記ニュートラルホストネットワークに関連する基地局を検出するための手段と、
前記基地局が前記ニュートラルホストネットワークについてのＳＤＩを送信するようにスケジュールされていることを示すＳＤＩインジケータを含む前記基地局によるブロードキャストについてキャリアを監視するための手段と、
前記ＳＤＩインジケータに基づいて、前記基地局が後続のブロードキャスト中で前記ニュートラルホストネットワークのための前記ＳＤＩを送信するようにスケジュールされているかどうかを決定するための手段と、
前記基地局が前記ＳＤＩをブロードキャストするようにスケジュールされていないことを前記ＳＤＩインジケータが示すと決定することに少なくとも部分的に基づいて、前記基地局が前記ＳＤＩをブロードキャストすることを要求するために、ＳＤＩ要求を前記基地局に送信するための手段と、
前記ＳＤＩ要求を送信することに基づいて、前記基地局による前記後続のブロードキャスト中で前記ＳＤＩを受信するための手段と
を備える、装置。
【請求項２１】
前記検出するための手段は、少なくとも部分的に、前記ブロードキャスト中でニュートラルホストネットワーク情報を受信することによって、前記ニュートラルホストネットワークに関連する基地局を検出し、前記ニュートラルホストネットワーク情報は、前記基地局を前記ニュートラルホストネットワークに関連するものとして識別する、請求項２０に記載の装置。
【請求項２２】
前記ＳＤＩを前記受信するための手段は、
部分的ＳＤＩを受信することと、
前記基地局とのユニキャスト接続を確立することと、
前記ユニキャスト接続上で送られる物理ランダムアクセスチャネル（ＰＲＡＣＨ）メッセージ中で追加のＳＤＩについての要求を前記基地局に送信することと、
前記ユニキャスト接続上で前記基地局から前記追加のＳＤＩを受信することと
を行うように構成される、請求項２０に記載の装置。
【請求項２３】
前記ＳＤＩが、前記ニュートラルホストネットワークをサポートする１つまたは複数のサービスプロバイダまたはモバイルネットワーク事業者パブリックランドモバイルネットワークのインジケーションを備える、請求項２０に記載の装置。
【請求項２４】
ニュートラルホストネットワークにおいてサービス発見情報（ＳＤＩ）を通信するための１つまたは複数のプロセッサによって実行可能なコードを備える、非一時的コンピュータ可読媒体であって、前記コードは、
前記ニュートラルホストネットワークに関連する基地局を検出するためのコードと、
前記基地局が前記ニュートラルホストネットワークについてのＳＤＩを送信するようにスケジュールされていることを示すＳＤＩインジケータを含む前記基地局によるブロードキャストについてキャリアを監視するためのコードと、
前記ＳＤＩインジケータに基づいて、前記基地局が後続のブロードキャスト中で前記ニュートラルホストネットワークのための前記ＳＤＩを送信するようにスケジュールされているかどうかを決定するためのコードと、
前記基地局が前記ＳＤＩをブロードキャストするようにスケジュールされていないことを前記ＳＤＩインジケータが示すと決定することに少なくとも部分的に基づいて、前記基地局が前記ＳＤＩをブロードキャストすることを要求するために、ＳＤＩ要求を前記基地局に送信するためのコードと、
前記ＳＤＩ要求を送信することに基づいて、前記基地局による前記後続のブロードキャスト中で前記ＳＤＩを受信するためのコードと
を備える、非一時的コンピュータ可読媒体。
【請求項２５】
前記検出するためのコードは、少なくとも部分的に、前記ブロードキャスト中でニュートラルホストネットワーク情報を受信することによって、前記ニュートラルホストネットワークに関連する基地局を検出し、前記ニュートラルホストネットワーク情報は、前記基地局を前記ニュートラルホストネットワークに関連するものとして識別する、請求項２４に記載の非一時的コンピュータ可読媒体。
【請求項２６】
前記ＳＤＩを前記受信するためのコードは、
部分的ＳＤＩを受信することと、
前記基地局とのユニキャスト接続を確立することと、
前記ユニキャスト接続上で送られる物理ランダムアクセスチャネル（ＰＲＡＣＨ）メッセージ中で追加のＳＤＩについての要求を前記基地局に送信することと、
前記ユニキャスト接続上で前記基地局から前記追加のＳＤＩを受信することと
を行うように構成される、請求項２４に記載の非一時的コンピュータ可読媒体。
【発明の詳細な説明】
【米国特許法第１１９条に基づく優先権の主張】
【０００１】
[0001]本特許出願は、本出願の譲受人に譲渡され、すべての目的のために参照により本明細書に明確に組み込まれる、２０１６年７月８日に出願された「TECHNIQUES FOR BROADCASTING SERVICE DISCOVERY INFORMATION」と題する非仮出願第１５／２０５，９８５号、および２０１５年７月２９日に出願された「TECHNIQUES FOR BROADCASTING SERVICE DISCOVERY INFORMATION」と題する仮出願第６２／１９８，５９０号に対する優先権を主張する。
【背景技術】
【０００２】
[0002]ワイヤレス通信システムは、音声、データなど、様々なタイプの通信コンテンツを提供するために広く展開されている。これらのシステムは、利用可能なシステムリソース（たとえば、帯域幅および送信電力）を共有することによって複数のユーザとの通信をサポートすることが可能な多元接続システムであり得る。そのような多元接続システムの例は、符号分割多元接続（ＣＤＭＡ）システム、時分割多元接続（ＴＤＭＡ）システム、周波数分割多元接続（ＦＤＭＡ）システム、３ＧＰＰ（登録商標）ロングタームエボリューション（ＬＴＥ（登録商標））システム、および直交周波数分割多元接続（ＯＦＤＭＡ）システムを含む。
【０００３】
[0003]概して、ワイヤレス多元接続通信システムは、複数のユーザ機器デバイス（ＵＥ）のための通信を同時にサポートすることができる。各ＵＥは、順方向リンクおよび逆方向リンク上での送信を介して、発展型ノードＢ（ｅＮＢ）など、１つまたは複数の基地局と通信する。順方向リンク（またはダウンリンク）はｅＮＢからＵＥへの通信リンクを指し、逆方向リンク（またはアップリンク）はＵＥからｅＮＢへの通信リンクを指す。この通信リンクは、単入力単出力、多入力単出力または多入力多出力（ＭＩＭＯ）システムを介して確立され得る。この点について、ＵＥは、１つまたは複数のｅＮＢを介してワイヤレスネットワークにアクセスすることができる。
【０００４】
[0004]これらのシステムのためのネットワーク展開は、一般に固定され、したがって、ｅＮＢは、所与のネットワーク上でＵＥのためのサブスクリプション情報を取得および／または検証する（verify）ために、ＵＥに関係するホームネットワークと通信する。ワイヤレスネットワークは、一般に、ＵＥをそれの国際モバイル加入者識別子（ＩＭＳＩ）および／または他の識別情報を使用して識別することに基づき得る、ワイヤレスネットワークにサブスクライブされた（subscribed）ＵＥに関係する情報を管理するためのホーム加入者サーバ（ＨＳＳ：home subscriber server）を採用する。この点について、ＵＥにワイヤレスネットワークアクセスを与えるｅＮＢは、ＵＥのサブスクリプションを検証するために、（たとえば、１つまたは複数のネットワークノードをトラバースすること（traversing）によって）ＵＥに関連するＨＳＳと通信することができる。多くの例では、ｅＮＢは、訪問先ネットワーク上にあり得、サブスクリプションを検証するためにＵＥのホームネットワーク上のＨＳＳにアクセスすることができる。
【０００５】
[0005]しかしながら、アクセスおよびトラフィックがサードパーティネットワークの所有者によって管理され、および／または無認可（unlicensed）スペクトル中の周波数帯域が通信のために使用され、およびアクセスが、ＵＥまたは他のサービスプロバイダに関係するモバイルネットワーク事業者（ＭＮＯ：mobile network operator）からの証明を用いた認証を使用してサードパーティによって許可される、サードパーティネットワーク上での他のコンテキストにおいて、ＵＥが、１つまたは複数のワイヤレスネットワーク技術を使用して通信することを可能にしたいという要望がある。これらのサードパーティネットワークは、ネットワークをホストするエンティティがＭＮＯによって管理されないことがあり、トラフィックがＭＮＯネットワークを最初にトラバースする必要がないような、ニュートラルホストネットワークと呼ばれることがある。さらに、ニュートラルホストネットワークは、１つまたは複数のサービスプロバイダを介して１つまたは複数のＵＥに異なるサービスを提供し得る、１つまたは複数のｅＮＢまたは他のアクセスポイントを含み得る。
【発明の概要】
【０００６】
[0006]以下は、１つまたは複数の態様の基本的理解を与えるために、そのような態様の簡略化された概要を提示する。この概要は、すべての企図された態様の包括的な概観ではなく、すべての態様の主要または重要な要素を識別するものでも、いずれかまたはすべての態様の範囲を定めるものでもない。その唯一の目的は、後で提示されるより詳細な説明の導入として、１つまたは複数の態様のいくつかの概念を簡略化された形で提示することである。
【０００７】
[0007]ニュートラルホストネットワークは、１つまたは複数の異なるサービスプロバイダを介して１つまたは複数の異なるサービスを提供し得るが、ユーザ機器（ＵＥ）は、ニュートラルホストネットワークによってどのサービス／サービスプロバイダが提供されるかを必ずしも知っているとは限らない。したがって、ニュートラルホストネットワークのノード（たとえば、発展型ノードＢ（ｅＮＢ）など、アクセスポイント）は、ノードおよび／またはニュートラルホストネットワークによって提供される１つまたは複数のサービスまたはサービスプロバイダを広告するためにサービス発見情報（ＳＤＩ：service discovery information）を送信し得る。したがって、ＵＥは、ノードによるブロードキャストを介したＳＤＩ、ノードからの専用メッセージなどを受信することができ、したがって、ＳＤＩの少なくとも一部分を（たとえば、サービスの選択を可能にするためのディスプレイ上で）提示するか、または、ＳＤＩに少なくとも部分的に基づいて、そのノードに接続すべきなのかニュートラルホストネットワークの別のノードに接続すべきなのかを決定することができる。
【０００８】
[0008]一例によれば、ニュートラルホストネットワークにおいてＳＤＩを通信するための方法が提供される。本方法は、プロセッサによって、ニュートラルホストネットワークに関連する基地局を検出することと、トランシーバによって、基地局がニュートラルホストネットワークについてのＳＤＩを送信するようにスケジュールされていることを示すＳＤＩインジケータを含む基地局によるブロードキャストについてキャリアを監視することと、トランシーバによって、ＳＤＩインジケータに基づいて基地局による追加のブロードキャスト中でＳＤＩを受信することとを含む。
【０００９】
[0009]別の例では、ニュートラルホストネットワークにおいてＳＤＩを通信するための装置が提供される。本装置は、トランシーバと、ニュートラルホストネットワークにおいて信号を通信するためにバスを介してトランシーバと通信可能に結合された少なくとも１つのプロセッサと、バスを介して少なくとも１つのプロセッサおよび／またはトランシーバと通信可能に結合されたメモリとを含む。少なくとも１つのプロセッサは、ニュートラルホストネットワークに関連する基地局を検出することと、トランシーバを介して、基地局がニュートラルホストネットワークについてのＳＤＩを送信するようにスケジュールされていることを示すＳＤＩインジケータを含む基地局によるブロードキャストについてキャリアを監視することと、トランシーバを介して、ＳＤＩインジケータに基づいて基地局による追加のブロードキャスト中でＳＤＩを受信することとを行うように構成される。
【００１０】
[0010]また別の例では、ニュートラルホストネットワークにおいてＳＤＩを通信するための装置が提供される。本装置は、ニュートラルホストネットワークに関連する基地局を検出するための手段と、基地局がニュートラルホストネットワークについてのＳＤＩを送信するようにスケジュールされていることを示すＳＤＩインジケータを含む基地局によるブロードキャストについてキャリアを監視するための手段と、ＳＤＩインジケータに基づいて基地局による追加のブロードキャスト中でＳＤＩを受信するための手段とを含む。
【００１１】
[0011]さらなる一例では、ニュートラルホストネットワークにおいてＳＤＩを通信するためのコンピュータ実行可能コードを記憶するコンピュータ可読媒体が提供される。コードは、ニュートラルホストネットワークに関連する基地局を検出するためのコードと、基地局がニュートラルホストネットワークについてのＳＤＩを送信するようにスケジュールされていることを示すＳＤＩインジケータを含む基地局によるブロードキャストについてキャリアを監視するためのコードと、ＳＤＩインジケータに基づいて基地局による追加のブロードキャスト中でＳＤＩを受信するためのコードとを含む。
【００１２】
[0012]別の例によれば、ニュートラルホストネットワークにおいてＳＤＩを通信するための方法が提供される。本方法は、トランシーバによって、ＵＥからＳＤＩ要求を受信することと、トランシーバによって、１つまたは複数の後続のブロードキャスト中でＳＤＩの存在を示すＳＤＩインジケータをブロードキャストすることと、トランシーバによって、ＳＤＩ要求を受信することに少なくとも部分的に基づいて１つまたは複数の後続のブロードキャスト中でＳＤＩをブロードキャストすることと、ここで、１つまたは複数の後続のブロードキャストは、１つまたは複数のシステム情報ブロック（ＳＩＢ）または１つまたは複数のブロードキャストチャネルを含み、を含む。
【００１３】
[0013]別の例では、ニュートラルホストネットワークにおいてＳＤＩを通信するための装置が提供される。本装置は、トランシーバと、ニュートラルホストネットワークにおいて信号を通信するためにバスを介してトランシーバと通信可能に結合された少なくとも１つのプロセッサと、バスを介して少なくとも１つのプロセッサおよび／またはトランシーバと通信可能に結合されたメモリとを含む。少なくとも１つのプロセッサは、トランシーバを介して、ＵＥからＳＤＩ要求を受信することと、トランシーバを介して、１つまたは複数の後続のブロードキャスト中でＳＤＩの存在を示すＳＤＩインジケータをブロードキャストすることと、トランシーバを介して、ＳＤＩ要求を受信することに少なくとも部分的に基づいて１つまたは複数の後続のブロードキャスト中でＳＤＩをブロードキャストすることと、ここで、１つまたは複数の後続のブロードキャストは、１つまたは複数のＳＩＢまたは１つまたは複数のブロードキャストチャネルを含み、を行うように構成される。
【００１４】
[0014]また別の例では、ニュートラルホストネットワークにおいてＳＤＩを通信するための装置が提供される。本装置は、ＵＥからＳＤＩ要求を受信するための手段と、１つまたは複数の後続のブロードキャスト中でＳＤＩの存在を示すＳＤＩインジケータをブロードキャストするための手段と、ＳＤＩ要求を受信することに少なくとも部分的に基づいて１つまたは複数の後続のブロードキャスト中でＳＤＩをブロードキャストするための手段と、ここで、１つまたは複数の後続のブロードキャストは、１つまたは複数のＳＩＢまたは１つまたは複数のブロードキャストチャネルを含み、を含む。
【００１５】
[0015]さらなる一例では、ニュートラルホストネットワークにおいてＳＤＩを通信するためのコンピュータ実行可能コードを記憶するコンピュータ可読媒体が提供される。コードは、ＵＥからＳＤＩ要求を受信するためのコードと、１つまたは複数の後続のブロードキャスト中でＳＤＩの存在を示すＳＤＩインジケータをブロードキャストするためのコードと、ＳＤＩ要求を受信することに少なくとも部分的に基づいて１つまたは複数の後続のブロードキャスト中でＳＤＩをブロードキャストするためのコードと、ここで、１つまたは複数の後続のブロードキャストは、１つまたは複数のＳＩＢまたは１つまたは複数のブロードキャストチャネルを含み、を含む。
【００１６】
[0016]上記および関係する目的を達成するために、１つまたは複数の態様は、以下で十分に説明され、特に特許請求の範囲で指摘される特徴を備える。以下の説明および添付の図面は、１つまたは複数の態様のいくつかの例示的な特徴を詳細に記載する。ただし、これらの特徴は、様々な態様の原理が採用され得る様々な方法のうちのほんのいくつかを示すものであり、この説明は、すべてのそのような態様およびそれらの均等物を含むものとする。
【００１７】
[0017]開示される態様は、開示される態様を限定するためではなく、例示するために与えられる、添付の図面とともに以下で説明され、同様の表示は同様の要素を示す。
【図面の簡単な説明】
【００１８】
【図１】[0018]本明細書で説明される態様による、ニュートラルホストネットワークアクセスを与えるためのシステムの一例を示す図。
【図２】[0019]本明細書で説明される態様による、ニュートラルホストネットワークアクセスを与えるためのシステムの別の例を示す図。
【図３】[0020]本明細書で説明される態様による、ニュートラルホストネットワークアクセスを与えるためのシステムのまた別の例を示す図。
【図４】[0021]本明細書で説明される態様による、サービス発見情報（ＳＤＩ）を通信するためのシステムの一例を示す図。
【図５】[0022]本明細書で説明される態様による、ＳＤＩを受信および処理するための方法の一例を示す図。
【図６】[0023]本明細書で説明される態様による、ＳＤＩをブロードキャストするための方法の一例を示す図。
【図７】[0024]本明細書で説明される態様に従ってＳＤＩを通信するためのシステム、およびそれの１つまたは複数のＵＥとｅＮＢとの間のメッセージフローの一例を示す図。
【図８】[0025]本明細書で説明される態様に従って部分的ＳＤＩを通信するためのシステム、およびそれのＵＥとｅＮＢとの間のメッセージフローの一例を示す図。
【詳細な説明】
【００１９】
[0026]次に、図面を参照しながら様々な態様が説明される。以下の説明では、説明の目的で、１つまたは複数の態様の完全な理解を与えるために多数の具体的な詳細が記載される。ただし、そのような（１つまたは複数の）態様は、これらの具体的な詳細なしに実施され得ることは明らかであろう。
【００２０】
[0027]本明細書ではニュートラルホストネットワークにおいてサービス発見情報（ＳＤＩ）をブロードキャストすることに関係する様々な態様が説明され、ここで、ＳＤＩは、ニュートラルホストネットワークにおいて１つまたは複数のサービスプロバイダによって提供されるサービスに関する様々なパラメータを示すことができる。ニュートラルホストネットワークは、（たとえば、ユーザ機器（ＵＥ）に）ニュートラルホストネットワークによって通信されたトラフィックが、最初にＭＮＯネットワークをトラバースする必要がないように、第３世代パートナーシッププロジェクト（３ＧＰＰ）ロングタームエボリューション（ＬＴＥ）など、モバイルネットワーク無線アクセス技術（ＲＡＴ）を使用して動作させられ得るが、モバイルネットワーク事業者（ＭＮＯ）によって動作させられないことがあるかまたはさもなければＭＮＯネットワークに直接接続されないことがある、ネットワークを含むことができる。たとえば、本明細書でさらに説明されるように、ニュートラルホストネットワークは、モバイルネットワークＲＡＴに基づいてホットスポットとして機能する１つまたは複数の発展型ノードＢ（ｅＮＢ）または他のアクセスポイントを含み得、デバイス（たとえば、ＵＥ）へのアクセスを（たとえば、必ずしも、ニュートラルホストネットワークにおける通信の少なくともいくつかのタイプのための認証を必要とすることなしに）公然と（openly）可能にする。ｅＮＢは、ｅＮＢまたはバックエンドネットワークによって実装され（be implemented）得るＵＥのための認証の代替形態を使用し得、または、ニュートラルホストネットワークを介してＭＮＯネットワークにアクセスすることによってＭＮＯ認証（たとえば、ユニバーサル加入者識別モジュール（ＵＳＩＭ：universal subscriber identity module）証明）を使用する。一例では、ｅＮＢは、ニュートラルホストネットワークについてのＳＤＩを広告するために、モバイルネットワークＲＡＴによって定義されたシステム情報ブロードキャスト機構を使用することができる。
【００２１】
[0028]ＳＤＩは、たとえば、ＳＤＩをブロードキャストするニュートラルホストネットワークを介して、サービスプロバイダによって提供されるサービスに関する実質的に任意の情報に関係することができる。ＳＤＩは、ニュートラルホストネットワークによって提供される１つまたは複数のサービスプロバイダを選択すべきかどうかを決定するために、ＵＥによって受信され得る。一例では、ＵＥは、サービスプロバイダまたは関係するネットワーク／ｅＮＢの手動または自動選択を可能にするために、ユーザインターフェースまたは他のインターフェース（たとえば、アプリケーションプログラムインターフェース）を介してユーザに提示するための様々なサービスプロバイダついてのＳＤＩを収集し得る。たとえば、ＳＤＩは、サービスプロバイダ名、事業者パブリックランドモバイルネットワーク（ＰＬＭＮ：public land mobile network）識別子（ＩＤ）、サービスプロバイダのために表示すべきアイコンに関する情報、サービスプロバイダにアクセスするための証明情報、サービスプロバイダにアクセスするためのポータル情報、オンラインサインアップを提供するサービスプロバイダのリスト、サービスプロバイダプロビジョニングサーバ情報（たとえば、インターネットプロトコル（ＩＰ）アドレス、サポートされるプロビジョニングプロシージャなど）、サービスプロバイダによってサポートされるサービス（たとえば、本明細書でさらに説明されるように、接続性タイプ）、および／または同種のものを含み得る。
【００２２】
[0029]ニュートラルホストネットワークのｅＮＢは、システム情報送信中で、たとえば、１つまたは複数のシステム情報ブロック（ＳＩＢ）中でＳＤＩをブロードキャストし得、ＵＥは、ｅＮＢまたは関係するニュートラルホストネットワークに関連するＳＤＩを決定するためにシステム情報送信からＳＤＩを取得することができる。一例では、ｅＮＢはまた、１つまたは複数の後続のシステム情報送信中でＳＤＩの存在を示すことができる、ＳＤＩインジケータを広告するために、（１つまたは複数の）前のシステム情報送信（たとえば、１つまたは複数の前のＳＩＢ、または１つまたは複数のマスタ情報ブロック（ＭＩＢ：master information block）など）を利用することができる。たとえば、ＳＤＩインジケータは、前のシステム情報送信におけるビットインジケータまたは他の値であり得、ここで、前のシステム情報送信は、ＳＤＩを含み得るシステム情報送信の前に、ｅＮＢによってブロードキャストされ得る。したがって、ＵＥは、前のシステム情報送信を受信することができ、ＳＤＩインジケータに基づいて、ＳＤＩがｅＮＢによってブロードキャストされているかどうかを決定することができる。ＵＥが、ＳＤＩインジケータに基づいて、後続のシステム情報送信中でＳＤＩがブロードキャストされないと決定する、一例では、ＵＥは、ＳＤＩをブロードキャストするようにとの要求をｅＮＢに送信し得る。ｅＮＢは、要求を受信し、ＳＤＩ（および／またはＳＤＩインジケータ）をブロードキャストし始め、ＳＤＩのオンデマンドブロードキャスティング（on-demand broadcasting）を可能にすることができる。このことは、要求を受信することに基づいて、および必ずしもすべてのシステム情報ブロードキャストにおいてとは限らずに、ＳＤＩをブロードキャストすることによって、ｅＮＢによって利用される周波数スペクトルおよび処理リソースを節約する（conserve）ことができる。
【００２３】
[0030]本出願で使用される「コンポーネント」、「モジュール」、「システム」などの用語は、限定はしないが、ハードウェア、ファームウェア、ハードウェアとソフトウェアの組合せ、ソフトウェア、または実行中のソフトウェアなど、コンピュータ関連のエンティティを含むものとする。たとえば、コンポーネントは、限定はしないが、プロセッサ上で実行されるプロセス、プロセッサ、オブジェクト、実行ファイル、実行スレッド、プログラム、および／またはコンピュータであり得る。例として、コンピューティングデバイス上で実行しているアプリケーションと、そのコンピューティングデバイスの両方がコンポーネントであり得る。１つまたは複数のコンポーネントがプロセスおよび／または実行スレッド内に存在することができ、１つのコンポーネントが１つのコンピュータ上に配置され得、および／または２つ以上のコンピュータ間に分散され得る。さらに、これらのコンポーネントは、様々なデータ構造を記憶している様々なコンピュータ可読媒体から実行することができる。これらのコンポーネントは、ローカルシステム、分散型システム、および／または他のシステムを用いるインターネットなどのネットワーク中の別のコンポーネントと信号を介して対話する１つのコンポーネントからのデータなど、１つまたは複数のデータパケットを有する信号によるなどのローカルプロセスおよび／またはリモートプロセスを介して通信することができる。
【００２４】
[0031]さらに、本明細書では、ワイヤード端末またはワイヤレス端末であり得る端末に関する様々な態様が説明される。端末は、システム、デバイス、加入者ユニット、加入者局、移動局、モバイル、モバイルデバイス、リモート局、リモート端末、アクセス端末、ユーザ端末、端末、通信デバイス、ユーザエージェント、ユーザデバイス、ユーザ機器、またはユーザ機器デバイスと呼ばれることもある。ワイヤレス端末は、セルラー電話、衛星電話、コードレス電話、セッション開始プロトコル（ＳＩＰ）電話、ワイヤレスローカルループ（ＷＬＬ）局、携帯情報端末（ＰＤＡ）、ワイヤレス接続機能を有するハンドヘルドデバイス、コンピューティングデバイス、またはワイヤレスモデムに接続された他の処理デバイスであり得る。その上、本明細書では基地局に関する様々な態様が説明される。基地局は、（１つまたは複数の）ワイヤレス端末と通信するために利用され得、アクセスポイント、アクセスノード、ノードＢ、発展型ノードＢ（ｅＮＢ）、または何らかの他の用語で呼ばれることもある。
【００２５】
[0032]その上、「または」という用語は、排他的な「または」ではなく、包括的な「または」を意味するものとする。すなわち、別段に規定されていない限り、または文脈から明からでない限り、「ＸはＡまたはＢを採用する」という句は、自然包括的並べ替えのいずれかを意味するものとする。すなわち、「ＸはＡまたはＢを採用する」という句は、ＸがＡを採用する場合、ＸがＢを採用する場合、またはＸがＡとＢの両方を採用する場合のいずれによっても満たされる。さらに、本出願と添付の特許請求の範囲とで使用される冠詞「ａ」および「ａｎ」は、別段に規定されていない限り、または単数形を対象とすることが文脈から明らかでない限り、概して「１つまたは複数」を意味するものと解釈されるべきである。
【００２６】
[0033]本明細書で説明される技法は、ＣＤＭＡ、ＴＤＭＡ、ＦＤＭＡ、ＯＦＤＭＡ、シングルキャリア周波数分割多元接続（ＳＣ−ＦＤＭＡ）および他のシステムなど、様々なワイヤレス通信システムのために使用され得る。「システム」および「ネットワーク」という用語は、しばしば互換的に使用される。ＣＤＭＡシステムは、ユニバーサル地上波無線アクセス（ＵＴＲＡ：Universal Terrestrial Radio Access）、ｃｄｍａ２０００などの無線技術を実装し得る。ＵＴＲＡは、広帯域ＣＤＭＡ（Ｗ−ＣＤＭＡ（登録商標））およびＣＤＭＡの他の変形態を含む。さらに、ｃｄｍａ２０００は、ＩＳ−２０００、ＩＳ−９５およびＩＳ−８５６規格をカバーする。ＴＤＭＡシステムは、モバイル通信用グローバルシステム（ＧＳＭ（登録商標）：Global System for Mobile Communications）などの無線技術を実装し得る。ＯＦＤＭＡシステムは、発展型ＵＴＲＡ（Ｅ−ＵＴＲＡ）、ウルトラモバイルブロードバンド（ＵＭＢ）、ＩＥＥＥ８０２．１１（ＷｉＦｉ（登録商標））、ＩＥＥＥ８０２．１６（ＷｉＭＡＸ）、ＩＥＥＥ８０２．２０、Ｆｌａｓｈ−ＯＦＤＭ（登録商標）などの無線技術を実装し得る。ＵＴＲＡおよびＥ−ＵＴＲＡは、ユニバーサルモバイルテレコミュニケーションシステム（ＵＭＴＳ：Universal Mobile Telecommunication System）の一部である。３ＧＰＰロングタームエボリューション（ＬＴＥ）は、ダウンリンク上ではＯＦＤＭＡを採用し、アップリンク上ではＳＣ−ＦＤＭＡを採用するＥ−ＵＴＲＡを使用するＵＭＴＳのリリースである。ＵＴＲＡ、Ｅ−ＵＴＲＡ、ＵＭＴＳ、ＬＴＥおよびＧＳＭは、「第３世代パートナーシッププロジェクト」（３ＧＰＰ）と称する団体からの文書に記載されている。さらに、ｃｄｍａ２０００およびＵＭＢは、「第３世代パートナーシッププロジェクト２」（３ＧＰＰ２）と称する団体からの文書に記載されている。さらに、そのようなワイヤレス通信システムは、不対（unpaired）無認可スペクトル、８０２．ｘｘワイヤレスＬＡＮ（ＷＬＡＮ）、ＢＬＵＥＴＯＯＴＨ（登録商標）および任意の他の短距離または長距離ワイヤレス通信技法をしばしば使用するピアツーピア（たとえば、モバイルツーモバイル）アドホックネットワークシステムをさらに含み得る。
【００２７】
[0034]様々な態様または特徴が、いくつかのデバイス、コンポーネント、モジュールなどを含み得るシステムに関して提示される。様々なシステムは、追加のデバイス、コンポーネント、モジュールなどを含むことができ、および／または図に関して説明されるデバイス、コンポーネント、モジュールなどのすべてを含むとは限らないことを理解および諒解されたい。これらの手法の組合せも使用され得る。
【００２８】
[0035]図１を参照すると、（たとえば、ＳＤＩをブロードキャストするためのＳＤＩ通信コンポーネント４６０を動作させるアクセスポイントを介して）ニュートラルホストネットワークへのワイヤレスアクセスを与えることを可能にするワイヤレス通信システム１００が示されている。ワイヤレス通信システム１００は、（たとえば、１つまたは複数の他のコロケートされる、または遠隔に位置するネットワークノードを介して）バックエンドサービスプロバイダネットワーク１０４へのアクセスを与えるために、１つまたは複数のＵＥからのワイヤレス通信を受信するためのセルを与えることができる、ワイヤレスワイドエリアネットワーク（ＷＷＡＮ）ホットスポット１０２を含む。この例では、ＷＷＡＮホットスポット１０２中に示されたコンポーネントは、一般に、ＬＴＥ、ＧＳＭなどのモバイルネットワークＲＡＴを使用して特定のＭＮＯへのアクセスを与えるために通信し得る。この例では、ＷＷＡＮホットスポット１０２は、バックエンドサービスプロバイダネットワーク１０４へのアクセスを与えるために、無認可周波数帯域中のモバイルネットワークＲＡＴを使用するセルを与えることができ、ここで、認証ＵＥ１０６は、バックエンドサービスプロバイダネットワーク１０４にアクセスするための要件としてのモバイルネットワークサブスクリプション情報（たとえば、ＵＳＩＭ証明）に基づいて、必要とされないことがある。したがって、たとえば、ＵＥ１０６は、モバイルネットワークＲＡＴを使用して、サービングゲートウェイ（ＳＧＷ）／パケットデータネットワーク（ＰＤＮ）ゲートウェイ（ＰＧＷ）１１０および／またはモビリティ管理エンティティ（ＭＭＥ）１１２にアクセスするために、ｅＮＢ１０８の形態のアクセスポイントと通信する。サービングゲートウェイ（ＳＧＷ）／パケットデータネットワーク（ＰＤＮ）ゲートウェイ（ＰＧＷ）１１０および／またはモビリティ管理エンティティ（ＭＭＥ）１１２は、ホットスポット１０２中に含まれ得る。ＵＥ１０６は、ｅＮＢ１０８からＳＤＩを取得および処理するためのＳＤＩ処理コンポーネント４２０を動作させ得る。
【００２９】
[0036]いくつかの態様では、ＵＥ１０６は、当業者によって（ならびに本明細書において互換的に）、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、端末、ユーザエージェント、モバイルクライアント、クライアント、または何らかの他の好適な用語で呼ばれることもある。ＵＥ１０６は、セルラーフォン、携帯情報端末（ＰＤＡ）、ワイヤレスモデム、ワイヤレス通信デバイス、ハンドヘルドデバイス、タブレットコンピュータ、ラップトップコンピュータ、コードレスフォン、ワイヤレスローカルループ（ＷＬＬ）局、全地球測位システム（ＧＰＳ）デバイス、マルチメディアデバイス、ビデオデバイス、デジタルオーディオプレーヤ（たとえば、ＭＰ３プレーヤ）、カメラ、ゲーム機、ウェアラブルコンピューティングデバイス（たとえば、スマートウォッチ、スマートグラス、ヘルスまたはフィットネストラッカーなど）、アプライアンス、センサー、車両通信システム、医療デバイス、自動販売機、または任意の他の同様の機能デバイスであり得る。概して、ＵＥ１０６は、ポータブルであると見なされるのに十分に小型で軽量であり得、本明細書で説明される１つまたは複数のオーバージエア（ＯＴＡ）通信プロトコルを使用してオーバージエア通信リンクを介してワイヤレスに通信するように構成され得る。さらに、いくつかの例では、ＵＥ１０６は、複数の別個のサブスクリプション、複数の無線リンク、および／または同種のものを介して複数の別個のネットワーク上での通信を可能にするように構成され得る。
【００３０】
[0037]ｅＮＢ１０８は、マクロセルアクセスポイント、スモールセルアクセスポイント、および／または同種のもののようなアクセスポイントを含み得る。本明細書で使用される「スモールセル」という用語は、アクセスポイントまたはアクセスポイントの対応するカバレージエリアを指すことがあり、ここで、この場合のアクセスポイントは、たとえば、マクロネットワークアクセスポイントまたはマクロセルの送信電力あるいはカバレージエリアと比較して、比較的低い送信電力あるいは比較的小さいカバレージを有する。たとえば、マクロセルは、限定はしないが、半径数キロメートルなど、比較的大きい地理的エリアをカバーし得る。対照的に、スモールセルは、限定はしないが、自宅、建築物、または建築物のフロアなど、比較的小さい地理的エリアをカバーし得る。したがって、スモールセルは、限定はしないが、ＢＳ、アクセスポイント、フェムトノード、フェムトセル、ピコノード、マイクロノード、ノードＢ、ｅＮＢ、ホームノードＢ（ＨＮＢ：home Node B）またはホーム発展型ノードＢ（ＨｅＮＢ：home evolved Node B）など、装置を含み得る。したがって、本明細書で使用される「スモールセル」という用語は、マクロセルと比較して比較的低い送信電力および／または比較的小さいカバレージエリアセルを指す。
【００３１】
[0038]一般的なＬＴＥ展開では、たとえば、ＭＭＥ１１２は、ＵＥ１０６に、ベアラセットアッププロシージャ、ＳＧＷ／ＰＧＷ１１０および他のコアＭＮＯネットワーク構成要素（たとえば、ＨＳＳ）へのアクセスなどを与え、ＳＧＷ／ＰＧＷ１１０は、ＵＥ１０６に、インターネット接続および／または他の外部ノードへのアクセスを与える。しかしながら、図示された例では、ＳＧＷ／ＰＧＷ１１０およびＭＭＥ１１２は、ＵＥ１０６に、サービスプロバイダ（ＳＰ）データネットワーク１２０へのアクセスを与える。ＳＰデータネットワーク１２０は、ＷｉＦｉホットスポット１５０にネットワークアクセスを与えることに随意に関係することができ、また、この例では、（たとえば、認証、課金（billing）、または他の目的のためにＵＥ１０６のホームネットワークにアクセスするために、ならびに／あるいはワイヤレスネットワークサービスを与えるために他のネットワークノードにアクセスするために）ＵＥ１０６にさらにインターネット１２４へのアクセスを与えるために、ＷＷＡＮホットスポット１０２によって利用され得る。この構成は、ＬＴＥ−Ｕ−Ｗ展開と呼ばれることがあり、ＷＷＡＮホットスポット１０２およびバックエンドサービスプロバイダネットワーク１０４は、ニュートラルホストネットワークの一例であり得る。
【００３２】
[0039]この点について、たとえば、ＭＭＥ１１２は、ＳＰデータネットワーク１２０を介してサービスプロバイダネットワーク１０４のコンポーネントにアクセスするためにＵＥ１０６がｅＮＢ１０８を介して通信するために、ベアラをセットアップすることができる。これは、ＵＥ１０６とｅＮＢ１０８との間の無線ベアラならびにｅＮＢ１０８およびＳＧＷ／ＰＧＷ１１０および／またはサービスプロバイダネットワーク１０４の追加のコンポーネントの間のデータベアラをセットアップすることを含むことができる。さらに、サービスプロバイダネットワーク１０４中のいくつかの要素と通信するためのユーザおよび制御プレーン通信が機能しなくなることがある。その上、たとえば、セキュリティは、ＵＥ１０６とＭＭＥ１１２との間の非アクセス層（ＮＡＳ：non-access stratum）レイヤにわたって、拡張認証プロトコル（ＥＡＰ）または同様のセキュリティ機構を使用するように変更され得る。
【００３３】
[0040]サービスプロバイダネットワーク１０４は、サービスプロバイダネットワーク１０４（および／または特にＳＰデータネットワーク１２０）にアクセスするためのＵＥ１０６の証明を確立し、検証するための認証、許可、およびアカウンティング（ＡＡＡ）サーバ１２２をさらに含み得る。ＳＰデータネットワーク１２０はまた、インターネット１２４へのアクセスを与えることができる。場合によっては、証明のセットのための１つまたは複数のアクセスポリシーを定義することができるポリシーサーバ１２６、サブスクリプションエラーおよび／またはタイムアウトを解決することができるサブスクリプション改善サーバ（subscription remediation server）１２８、ならびに／あるいはサービスプロバイダネットワーク１０４にアクセスするためのサブスクリプション証明を管理するためのオンラインサインアップ（ＯＳＵ）サーバ１３０など、追加のサーバが同様にサービスプロバイダネットワーク１０４に含まれ得る。ＯＳＵサーバ１３０は、サービスプロバイダネットワーク１０４へのサブスクリプションベースのアクセスを管理するための１つまたは複数の証明書を取得するために、認証局１３２と通信することができる。一例では、サービスプロバイダネットワーク１０４はまた、それへのＷｉＦｉまたは他のワイヤレスアクセスを可能にするためにルータ（図示せず）を含むことができる。
【００３４】
[0041]一例では、ｅＮＢ１０８は、ＬＴＥ−Ｕ−Ｗ接続性タイプ、ＳＤＩなどを広告するようにＳＤＩ通信コンポーネント４６０を動作させることができ、これらは、ＳＤＩ通信コンポーネント４６０がこれらのパラメータを示すシステム情報をブロードキャストすることに基づいて、ＵＥ１０６によって発見可能であり得る。ＵＥ１０６は、たとえば、ＳＤＩ処理コンポーネント４２０を介して、ｅＮＢ１０８からのシステム情報を検出することができ、（たとえば、パラメータに基づいて）ｅＮＢ１０８との接続を確立すべきかどうかを決定することができる。これは、（たとえば、サービスセット識別情報（ＳＳＩＤ：service set identification）などのネットワーク識別子を広告することによって）随意のＷｉＦｉホットスポット１５０の存在を広告するために、そのホットスポットのコンポーネントによって使用される機構と同様であり得る。したがって、ＬＴＥ−Ｕ−Ｗ展開では、サービスプロバイダは、ＷＷＡＮホットスポット１０２のために、随意のＷｉＦｉホットスポット１５０のために使用されるような、プロビジョニング、アカウンティング、ポリシー、認証などのための同様のコアネットワーク要素を使用することができる。したがって、いくつかの場合には、同じ証明が、サービスプロバイダおよび／または関係するサービスプロバイダネットワーク１０４に関係することができるので、ＵＥ１０６は、ＷＷＡＮホットスポット１０２またはＷｉＦｉホットスポット１５０にアクセスするために同じ証明を使用することができる。さらに、いくつかの例では、ＵＥ１０６のユニバーサル加入者識別モジュール（ＵＳＩＭ）（図示せず）は、（たとえば、ホットスポット１０２がインターネット１２４を介してＭＮＯコンポーネントにアクセスすることができる、および／またはＷＷＡＮホットスポット１０２が場合によってはＬＴＥ−Ｕ−Ｍアクセスを与える）ＷＷＡＮホットスポット１０２にアクセスするための証明を与えるために使用され得る。その上、たとえば、ＷＷＡＮホットスポット１０２とＷｉＦｉホットスポット１５０の両方のために、オンラインサインアップがＯＳＵサーバ１３０を介して可能であり得る。
【００３５】
[0042]図２を参照すると、（たとえば、ＳＤＩをブロードキャストするためのＳＤＩ通信コンポーネント４６０を動作させるアクセスポイントを介して）ニュートラルホストネットワークへのワイヤレスアクセスを与えることを可能にするワイヤレス通信システム２００が示されている。ワイヤレス通信システム２００は、ＬＴＥネットワークからのトラフィックをオフロードする（ＬＴＥ−Ｕ−Ｏ）ために使用され得る、ＭＮＯのためのＬＴＥ−Ｕ（ＬＴＥ−Ｕ−Ｍ）を与える無線ホットスポット２０２を含み、ここで、ホットスポット２０２は、いくつかのＵＥのための証明を管理するホームＰＬＭＮ（ＨＰＬＭＮ：home PLMN）発展型パケットコア（ＥＰＣ）２０６へのアクセスを可能にするために、訪問先ＰＬＭＮ（ＶＰＬＭＮ：visiting public land mobile network）ＥＰＣ２０４と通信する。ホットスポット２０２および／または関連するＶＰＬＭＮ  ＥＰＣ２０４またはＨＰＬＭＮ  ＥＰＣ２０６は、ニュートラルホストネットワークを表し得る。ＶＰＬＭＮ  ＥＰＣ２０４はまた、認証されたＵＥにインターネット１２４へのアクセスを与える。ホットスポット２０２は、訪問先ＰＬＭＮ（ＶＰＬＭＮ）ＥＰＣ２０４のコンポーネントおよび／またはインターネット１２４と通信することを可能にするｅＮＢ１０８およびローカルゲートウェイ（ＬＧＷ）２１０を含む。ＶＰＬＭＮ  ＥＰＣ２０４は、この例では、ＵＥ１０６のためのＨＰＬＭＮではないので、訪問先ＰＬＭＮと呼ばれる。ＶＰＬＭＮ  ＥＰＣ２０４は、（別個のデバイスとして示されているが、上記および本明細書のさらなる例で示されるように、ＳＧＷおよびＰＧＷ機能を提供する単一のエンティティとして含まれ得る）ＳＧＷ１１０−ａおよびＰＧＷ１１０−ｂ、ならびにＭＭＥ１１２を備える。ＨＰＬＭＮ  ＥＰＣ２０６は、ＡＡＡサーバ２１２がＵＥ１０６のためのＨＰＬＭＮ  ＥＰＣのＡＡＡ機能を管理するので、サービスプロバイダネットワーク１０４のＡＡＡサーバ１２２（図１）とは異なり得るＡＡＡサーバ２１２と、いくつかのＵＥのサブスクリプション情報を記憶するためのＨＳＳ２１４とを含む。ＵＥ１０６は、ｅＮＢ１０８からＳＤＩを取得および処理するためのＳＤＩ処理コンポーネント４２０を動作させ得る。
【００３６】
[0043]この例では、ＶＰＬＭＮ  ＥＰＣ２０４およびＨＰＬＭＮ  ＥＰＣ２０６は、ＶＰＬＭＮ  ＥＰＣ２０４がＵＥ１０６のサブスクリプション情報をＨＰＬＭＮ  ＥＰＣ２０６を用いて検証したことに基づいて、ＨＰＬＭＮ  ＥＰＣ２０６のＨＳＳ２１４に関係するＵＥに、インターネット１２４または他のネットワークリソースへのアクセスを与えるために一般的なモバイルネットワークの場合のように機能することができる。ホットスポット２０２は、（たとえば、ＬＧＷ２１０を使用して）インターネット１２４を介してＶＰＬＭＮ  ＥＰＣ２０４に接続するサードパーティにおいて展開され得る。この例では、ｅＮＢ１０８は、ＵＥ１０６と通信するために、図１中のｅＮＢ１０８の場合と同様に、無認可周波数スペクトル中で動作し、ＵＥ１０６に、ホットスポット２０２が接続するＶＰＬＭＮ  ＥＰＣ２０４、および／またはＵＥ１０６に関係するＨＰＬＭＮ  ＥＰＣ２０６をトラバースすることによってインターネット１２４へのアクセスを与える。したがって、たとえば、ＵＥ１０６は、ホットスポット２０２にアクセスするためにＵＳＩＭ証明を使用することができ、ここで、ホットスポット２０２は、ＨＰＬＭＮ  ＥＰＣ２０６にアクセスすることによって証明を検証する。この点について、ＵＥ１０６は、ホットスポット２０２にオフロードすることによってインターネット１２４を利用することができ、ここで、ホットスポット２０２は、ＨＰＬＭＮ  ＥＰＣ２０６を介してＵＥ１０６を認証することが可能である。
【００３７】
[0044]図３は、必ずしも、対応するＵＥ１０６のための（たとえば、ＵＳＩＭ証明を使用する）モバイルネットワーク認証を必要とすることなしに、上記で説明されたようにＬＴＥ−Ｕ−Ｗアクセスを与えるための例示的なワイヤレス通信システム３００、３０２、３０４を示す。ワイヤレス通信システム３００はホットスポット３１０の例示的な企業展開を示し、ワイヤレス通信システム３０２はホットスポット３１２の例示的な宅内展開を示し、ワイヤレス通信システム３０４はホットスポット３１４の例示的な大規模展開を示す。たとえば、ホットスポット３１０、３１２、３１４が、モバイルネットワークＲＡＴおよび関連するＲＡＮコンポーネントを使用してインターネット１２４へのアクセスを同様に与えることができるという点で、ホットスポット３１０、３１２、３１４は、ＷＷＡＮホットスポット１０２と同様であり得る。ホットスポット３１０、３１２、３１４は、ニュートラルホストネットワークであり得るか、またはそれへのアクセスを与えることができる。各ワイヤレス通信システム３００、３０２、３０４は、ニュートラルホストネットワークにおいてアクセスを受信するためにｅＮＢ１０８と通信する、ＵＥ１０６を含むことができる。たとえば、アクセスポイント（たとえば、ｅＮＢ１０８）は、ＳＤＩをブロードキャストするためのＳＤＩ通信コンポーネント４６０を動作させることができ、ＵＥ１０６は、ｅＮＢ１０８からＳＤＩを取得および処理するためのＳＤＩ処理コンポーネント４２０を動作させ得る。
【００３８】
[0045]たとえば、ホットスポット３１０は、ＷＷＡＮホットスポット１０２とほとんど同様に、ｅＮＢ１０８とＳＧＷ／ＰＧＷ１１０とを含むことができ、組み合わせられたＭＭＥおよびＡＡＡサーバ３２０をも含むことができる。したがって、ホットスポット３１０は、ｅＮＢ１０８を介してアクセスを与えるために、モバイルネットワークＲＡＴを使用して通信することができる。ホットスポット３１０はまた、ＭＭＥ／ＡＡＡサーバ３２０のＡＡＡ部分を使用してＵＥ１０６を認証することができ、ＭＭＥ／ＡＡＡサーバ３２０のＭＭＥ部分は、インターネット１２４へのアクセスを与えるために、ＵＥ１０６のための１つまたは複数のベアラを確立することができる。ホットスポット３１０では、ｅＮＢ１０８とＳＧＷ／ＰＧＷ１１０とＭＭＥ／ＡＡＡサーバ３２０とはネットワークにおいて別個のコンポーネントであり得、および／またはコンポーネントのうちの１つまたは複数は組み合わせられ得る。
【００３９】
[0046]ホットスポット３１２は、たとえば、組み合わせられたｅＮＢ、ＳＧＷ／ＰＧＷ、およびＭＭＥ／ＡＡＡサーバ３３０を含み得る。この点について、たとえば、ホットスポット３１２は、ホットスポット３１２が接続（たとえば、イーサネット（登録商標）、ワイヤレスＬＡＮなど、ローカルエリアネットワーク（ＬＡＮ）接続）を介してインターネット１２４に結合され得る宅内設定において使用され得る、単一のデバイスであり得る。したがって、ホットスポット３１０は、組み合わせられたｅＮＢ、ＳＧＷ／ＰＧＷ、およびＭＭＥ／ＡＡＡサーバ３３０のｅＮＢ部分を介してアクセスを与えるために、モバイルネットワークＲＡＴを使用して通信することができる。ホットスポット３１０はまた、組み合わせられたｅＮＢ、ＳＧＷ／ＰＧＷ、およびＭＭＥ／ＡＡＡサーバ３３０のＡＡＡ部分を使用してＵＥ１０６を認証することができ、組み合わせられたｅＮＢ、ＳＧＷ／ＰＧＷ、およびＭＭＥ／ＡＡＡサーバ３３０のＭＭＥ部分は、インターネット１２４へのアクセスを与えるために、ＵＥ１０６のための１つまたは複数のベアラを確立することができる。
【００４０】
[0047]ホットスポット３１４は、一例では、ｅＮＢ１０８とＬＧＷ２１０とを含み得、ここで、ＬＧＷ２１０は、図２で同様に示されたように、サービスプロバイダネットワーク３０５へのアクセスを与える。しかしながら、ワイヤレス通信システム３０４では、サービスプロバイダネットワーク３０５は、サービスプロバイダネットワーク３０５を利用するためにＵＥ１０６を認証するためのＡＡＡサーバ２１２を含むことができる。さらに、ワイヤレス通信システム３０４は、サービスプロバイダネットワーク３０５の一部であり得るＨｅＮＢゲートウェイ（ＧＷ）３５０を含む。ＨｅＮＢ  ＧＷ３５０は、ネットワークインフラストラクチャ上でのサービスプロバイダネットワーク３０５への複数のホットスポット３１４の接続を可能にすることができ、インターネット１２４にアクセスするためにＳＧＷ１１０−ａおよび／またはＰＧＷ１１０−ｂと通信し得る。たとえば、ケーブルネットワーク事業者がホットスポット３１４を提供し得、ホットスポット３１４は、ホットスポット３１４がｅＮＢ１０８を介してモバイルネットワークＲＡＴを使用してワイヤレス通信アクセスを与えるので、ＨｅＮＢと同様であり得る。ホットスポット３１４は、サービスプロバイダネットワーク３０５のコンポーネントと通信することを可能にするためにＬＧＷ３３２をも含み得る。
【００４１】
[0048]一例では、図１、図２、図３中のホットスポット１０２、２０２、３１０、３１２、３１４などは、ホットスポットに関係する１つまたは複数のサービスまたはサービスプロバイダについてのＳＤＩを広告するための本明細書で説明される機能を実装し得る。たとえば、ホットスポット１０２、２０２、３１０、３１２、３１４中のｅＮＢ１０８は、本明細書でさらに説明されるように、システム情報中でＳＤＩをブロードキャストすることができ、ＵＥ１０６は、ＵＥ１０６による利用のための１つまたは複数のサービスを選択するために使用され得る、ＳＤＩを取得することができる。
【００４２】
[0049]次に図４〜図８を参照すると、態様は、本明細書で説明されるアクションまたは動作を実行し得る１つまたは複数のコンポーネントおよび１つまたは複数の方法に関して示され、ここで、破線中の態様は随意であり得る。図５および図６において以下で説明される動作は、特定の順序でおよび／または例示的なコンポーネントによって実行されるものとして提示されるが、アクションの順序およびアクションを実行するコンポーネントは、実装形態に応じて変更され得ることを理解されたい。その上、以下のアクション、機能、および／または説明されるコンポーネントは、特別にプログラムされたプロセッサ、特別にプログラムされたソフトウェアまたはコンピュータ可読媒体を実行するプロセッサによって、あるいは説明されるアクションまたは機能を実行することが可能なハードウェアコンポーネントおよび／またはソフトウェアコンポーネントの任意の他の組合せによって実行され得ることを理解されたい。
【００４３】
[0050]図４は、ワイヤレス通信ネットワークにおいてＳＤＩをブロードキャストおよび受信するためのシステム４００を示す。システム４００は、上記の図１〜図３においてその例が説明されたワイヤレスネットワークにアクセスするためにｅＮＢ１０８と通信するＵＥ１０６を含む。ＵＥ１０６は、ｅＮＢ１０８を介してワイヤレスネットワーク（図示せず）と通信することができる。一態様では、ｅＮＢ１０８およびＵＥ１０６は、構成された通信リソース上でｅＮＢ１０８からＵＥ１０６に制御および／またはデータメッセージ（たとえば、シグナリング）を通信するために、ダウンリンク信号４０６がその上でｅＮＢ１０８によって（たとえば、トランシーバ４５４を介して）送信され、ＵＥ１０６によって（たとえば、トランシーバ４０４を介して）受信され得る、１つまたは複数のダウンリンクチャネルを確立していることがある。その上、たとえば、ｅＮＢ１０８およびＵＥ１０６は、構成された通信リソース上でＵＥ１０６からｅＮＢ１０８に制御および／またはデータメッセージ（たとえば、シグナリング）を通信するために、アップリンク信号４０８がその上でＵＥ１０６によって（たとえば、トランシーバ４０４を介して）送信され、ｅＮＢ１０８によって（たとえば、トランシーバ４５４を介して）受信され得る、１つまたは複数のアップリンクチャネルを確立していることがある。たとえば、ｅＮＢ１０８は、複数のＵＥのためのブロードキャストチャネルまたはＵＥ１０６のための専用チャネルを含み得るダウンリンクチャネル上でダウンリンク信号４０６中でＳＤＩ４８０をブロードキャストし得る。一例では、ｅＮＢ１０８は、ＳＤＩ４８０をブロードキャストし始めるようにとの、アップリンクチャネル上でアップリンク信号４０８中で送信されたＵＥ１０６からのＳＤＩ要求４８２などに基づいて、ＳＤＩ４８０をブロードキャストし得る。
【００４４】
[0051]一態様では、ＵＥ１０６は、たとえば、１つまたは複数のバス４０５を介して通信可能に結合され得る１つまたは複数のプロセッサ４０２および／またはメモリ４０３を含み得、ニュートラルホストネットワークにおいて１つまたは複数のｅＮＢによってブロードキャストまたは送信されるＳＤＩを取得および処理するためのＳＤＩ処理コンポーネント４２０、ＳＤＩに基づいて１つまたは複数のｅＮＢによって提供される１つまたは複数のサービスを選択するための随意のサービス選択コンポーネント４２２、および／またはＳＤＩに基づいて提供される１つまたは複数のサービスを提示し、アプリケーション、ＵＥ１０６のユーザなどによる１つまたは複数のサービスの選択を可能にするための随意のインターフェースコンポーネント４２４のうちの１つまたは複数とともに動作するか、またはさもなければそれらを実装し得る。たとえば、ＳＤＩ処理コンポーネント４２０、サービス選択コンポーネント４２２、インターフェースコンポーネント４２４などに関係する様々な動作は、１つまたは複数のプロセッサ４０２によって実装されるか、またはさもなければ実行され得、一態様では、単一のプロセッサによって実行され得、他の態様では、動作のうちの異なるものは２つまたはそれ以上の異なるプロセッサの組合せによって実行され得る。たとえば、一態様では、１つまたは複数のプロセッサ４０２は、モデムプロセッサ、またはベースバンドプロセッサ、またはデジタル信号プロセッサ、または特定用途向け集積回路（ＡＳＩＣ）、または送信プロセッサ、またはトランシーバ４０４に関連するトランシーバプロセッサのうちのいずれか１つまたは任意の組合せを含み得る。さらに、たとえば、メモリ４０３は、限定はしないが、ランダムアクセスメモリ（ＲＡＭ）、読取り専用メモリ（ＲＯＭ）、プログラマブルＲＯＭ（ＰＲＯＭ）、消去可能ＰＲＯＭ（ＥＰＲＯＭ）、電気的消去可能ＰＲＯＭ（ＥＥＰＲＯＭ（登録商標））、磁気ストレージデバイス（たとえば、ハードディスク、フロッピー（登録商標）ディスク、磁気ストリップ）、光ディスク（たとえば、コンパクトディスク（ＣＤ）、デジタル多用途ディスク（ＤＶＤ））、スマートカード、フラッシュメモリデバイス（たとえば、カード、スティック、キードライブ）、レジスタ、リムーバブルディスク、ならびにコンピュータまたは１つまたは複数のプロセッサ４０２によってアクセスされ、読み取られ得るソフトウェアおよび／またはコンピュータ可読コードまたは命令を記憶するための任意の他の好適な媒体を含む非一時的コンピュータ可読媒体であり得る。その上、メモリ４０３またはコンピュータ可読記憶媒体は、１つまたは複数のプロセッサ４０２中に存在する、１つまたは複数のプロセッサ４０２の外部にある、１つまたは複数のプロセッサ４０２を含む複数のエンティティにわたって分散される、などであり得る。
【００４５】
[0052]特に、１つまたは複数のプロセッサ４０２および／またはメモリ４０３は、ＳＤＩ処理コンポーネント４２０またはそれのサブコンポーネントによって定義されたアクションまたは動作を実行し得る。たとえば、１つまたは複数のプロセッサ４０２および／またはメモリ４０３は、ｅＮＢ１０８から受信されたシステム情報中にＳＤＩが存在するかどうかを検出するためのＳＤＩ存在検出コンポーネント４４０によって定義されたアクションまたは動作を実行し得る。一態様では、たとえば、ＳＤＩ存在検出コンポーネント４４０は、ハードウェア（たとえば、１つまたは複数のプロセッサ４０２の１つまたは複数のプロセッサモジュール）、および／あるいは、メモリ４０３に記憶され、本明細書で説明される特別に構成されたＳＤＩ存在検出動作を実行するために１つまたは複数のプロセッサ４０２のうちの少なくとも１つによって実行可能なコンピュータ可読コードまたは命令を含み得る。さらに、たとえば、１つまたは複数のプロセッサ４０２および／またはメモリ４０３は、ｅＮＢ１０８によってシステム情報中でブロードキャストされるかまたはさもなければ送信される、ｅＮＢ１０８からのＳＤＩを受信するためのＳＤＩ受信コンポーネント４４２によって定義されたアクションまたは動作を実行し得る。一態様では、たとえば、ＳＤＩ受信コンポーネント４４２は、ハードウェア（たとえば、１つまたは複数のプロセッサ４０２の１つまたは複数のプロセッサモジュール）、および／あるいは、メモリ４０３に記憶され、本明細書で説明される特別に構成されたＳＤＩ受信動作を実行するために１つまたは複数のプロセッサ４０２のうちの少なくとも１つによって実行可能なコンピュータ可読コードまたは命令を含み得る。さらに、たとえば、１つまたは複数のプロセッサ４０２および／またはメモリ４０３は、ＳＤＩをブロードキャストするかまたはさもなければ送信するようにｅＮＢ１０８に要求するためのＳＤＩ要求コンポーネント４４４によって定義されたアクションまたは動作を随意に実行し得る。一態様では、たとえば、ＳＤＩ要求コンポーネント４４４は、ハードウェア（たとえば、１つまたは複数のプロセッサ４０２の１つまたは複数のプロセッサモジュール）、および／あるいは、メモリ４０３に記憶され、本明細書で説明される特別に構成されたＳＤＩ要求動作を実行するために１つまたは複数のプロセッサ４０２のうちの少なくとも１つによって実行可能なコンピュータ可読コードまたは命令を含み得る。
【００４６】
[0053]同様に、一態様では、ｅＮＢ１０８は、たとえば、１つまたは複数のバス４５５を介して通信可能に結合され得る１つまたは複数のプロセッサ４５２および／またはメモリ４５３を含み得、また、ニュートラルホストネットワークにおいてＳＤＩをブロードキャストするかまたはさもなければ送信するためのＳＤＩ通信コンポーネント４６０とともに動作するか、またはさもなければそれを実装し得る。たとえば、ＳＤＩ通信コンポーネント４６０に関係する様々な機能は、１つまたは複数のプロセッサ４５２によって実装されるか、またはさもなければ実行され得、一態様では、単一のプロセッサによって実行され得、他の態様では、上記で説明されたように、機能のうちの異なるものは２つまたはそれ以上の異なるプロセッサの組合せによって実行され得る。一例では、１つまたは複数のプロセッサ４５２および／またはメモリ４５３は、ＵＥ１０６の１つまたは複数のプロセッサ４０２および／またはメモリ４０３に関して上記の例で説明されたように構成され得る。
【００４７】
[0054]一例では、１つまたは複数のプロセッサ４５２および／またはメモリ４５３は、ＳＤＩ通信コンポーネント４６０またはそれのサブコンポーネントによって定義されたアクションまたは動作を実行し得る。たとえば、１つまたは複数のプロセッサ４５２および／またはメモリ４５３は、ｅＮＢ１０８によって通信されたシステム情報中にＳＤＩが存在するかどうか示すためのＳＤＩ存在指示コンポーネント４６２によって定義されたアクションまたは動作を実行し得る。一態様では、たとえば、ＳＤＩ存在指示コンポーネント４６２は、ハードウェア（たとえば、１つまたは複数のプロセッサ４５２の１つまたは複数のプロセッサモジュール）、および／あるいは、メモリ４５３に記憶され、本明細書で説明される特別に構成されたＳＤＩ存在指示動作を実行するために１つまたは複数のプロセッサ４５２のうちの少なくとも１つによって実行可能なコンピュータ可読コードまたは命令を含み得る。さらに、たとえば、１つまたは複数のプロセッサ４５２および／またはメモリ４５３は、ニュートラルホストネットワークにおいてＳＤＩをブロードキャストするかまたはさもなければ送信するためのＳＤＩ送信コンポーネント４６４によって定義されたアクションまたは動作を実行し得る。一態様では、たとえば、ＳＤＩ送信コンポーネント４６４は、ハードウェア（たとえば、１つまたは複数のプロセッサ４５２の１つまたは複数のプロセッサモジュール）、および／あるいは、メモリ４５３に記憶され、本明細書で説明される特別に構成されたＳＤＩ送信動作を実行するために１つまたは複数のプロセッサ４５２のうちの少なくとも１つによって実行可能なコンピュータ可読コードまたは命令を含み得る。さらに、たとえば、１つまたは複数のプロセッサ４５２および／またはメモリ４５３は、ｅＮＢ１０８に、ＳＤＩをブロードキャストするかまたはさもなければ送信するようにとのｅＮＢ１０８についての１つまたは複数の要求を受信するように要求するためのＳＤＩ要求受信コンポーネント４６６によって定義されたアクションまたは動作を随意に実行し得る。一態様では、たとえば、ＳＤＩ要求受信コンポーネント４６６は、ハードウェア（たとえば、１つまたは複数のプロセッサ４５２の１つまたは複数のプロセッサモジュール）、および／あるいは、メモリ４５３に記憶され、本明細書で説明される特別に構成されたＳＤＩ要求受信動作を実行するために１つまたは複数のプロセッサ４５２のうちの少なくとも１つによって実行可能なコンピュータ可読コードまたは命令を含み得る。
【００４８】
[0055]トランシーバ４０４、４５４は、一例では、１つまたは複数のアンテナ、ＲＦフロントエンド、１つまたは複数の送信機、および１つまたは複数の受信機を通してワイヤレス信号を送信および受信するように構成され得る。一態様では、トランシーバ４０４、４５４は、ＵＥ１０６および／またはｅＮＢ１０８がある周波数において通信することができるように、指定された周波数において動作するように同調させられ得る。一態様では、構成、通信プロトコルなどに基づいて指定された周波数および電力レベルにおいて動作するように、１つまたは複数のプロセッサ４０２がトランシーバ４０４を構成し得、および／または１つまたは複数のプロセッサ４５２がトランシーバ４５４を構成し得る。
【００４９】
[0056]一態様では、トランシーバ４０４、４５４は、トランシーバ４０４、４５４を使用して送信および受信されるデジタルデータを処理するように、（たとえば、マルチバンドマルチモードモデム、図示せず、を使用して）複数の帯域中で動作することができる。一態様では、トランシーバ４０４、４５４は、マルチバンドであり、特定の通信プロトコルのための複数の周波数帯域をサポートするように構成され得る。一態様では、トランシーバ４０４、４５４は、複数の動作ネットワークおよび通信プロトコルをサポートするように構成され得る。したがって、たとえば、トランシーバ４０４、４５４は、指定されたモデム構成に基づいて信号の送信および／または受信を可能にし得る。
【００５０】
[0057]図５を参照すると、（たとえば、ＳＤＩ処理コンポーネント４２０を動作させるＵＥ１０６による）ニュートラルホストネットワークにおいてＳＤＩブロードキャストを受信するための方法５００の一例が示されている。方法５００では、点線ボックスとして示されたブロックは、随意のステップを表す。
【００５１】
[0058]方法５００は、ブロック５０２において、ニュートラルホストネットワークに関連する基地局を検出することを含む。一態様では、たとえば、（１つまたは複数の）プロセッサ４０２、メモリ４０３、および／またはトランシーバ４０４とともに、ＵＥ１０６のサービス選択コンポーネント４２２（図４）は、ニュートラルホストネットワークに関連する基地局（たとえば、ｅＮＢ１０８）を検出することができる。たとえば、サービス選択コンポーネント４２２は、ＵＥ１０６による選択のために利用可能な基地局および／または関連するサービスを決定するために（たとえば、セル再選択またはハンドオーバプロシージャの一部として）１つまたは複数の基地局の存在を周期的に検出することができる。たとえば、サービス選択コンポーネント４２２は、１つまたは複数の基地局によって送信されたシステム情報を含み得る、１つまたは複数の基地局（たとえば、ｅＮＢ１０８）から受信された信号を検出するために、トランシーバ４０４を利用し得る。したがって、一例では、ブロック５０２においてニュートラルホストネットワークに関連する基地局を検出することは、ブロック５０４において、基地局がニュートラルホストネットワークに関連することを指定するインジケーションをシステム情報から取得することを随意に含み得る。一例では、１つまたは複数の基地局から受信された信号は、基地局によってサポートされる接続性タイプ（たとえば、ＬＴＥ、ＬＴＥ−Ｕ−Ｗ、ＬＴＥ−Ｕ−Ｍ、ＬＴＥ−Ｕ−Ｏ、ＭｕＬＴＥｆｉｒｅ、ＬＴＥ−ライセンス支援アクセス（ＬＴＥ−ＬＡＡ：LTE-license assisted access）などの無認可周波数帯域中で動作する他のＬＴＥネットワークなど）を示すためのインジケータなど、ニュートラルホストネットワーク情報を含み得る。したがって、一例では、サービス選択コンポーネント４２２は、基地局から受信されたシステム情報（たとえばニュートラルホストネットワーク情報）からインジケーションを取得し得、ここで、システム情報は、基地局（たとえば、ｅＮＢ１０８）がニュートラルホストネットワークに関連することを指定し得、それは、ＬＴＥ−Ｕ−Ｗ、ＬＴＥ−Ｕ−Ｍ、ＬＴＥ−Ｕ−Ｏ、ＭｕＬＴＥｆｉｒｅ、ＬＴＥ−ＬＡＡなどのサポートされる接続性タイプを示す１つまたは複数の信号を含み得る。一例では、ＳＤＩ通信コンポーネント４６０は、ｅＮＢ１０８によってブロードキャストされるシステム情報中の接続性タイプのインジケータを生成し、および／またはさもなければ初期化し得る。
【００５２】
[0059]方法５００はまた、ブロック５０６において、基地局がニュートラルホストネットワークについてのＳＤＩを送信するようにスケジュールされているかどうかを示すＳＤＩインジケータを含むシステム情報についてキャリアを監視することを含み得る。一態様では、たとえば、（１つまたは複数の）プロセッサ４０２、メモリ４０３、および／またはトランシーバ４０４とともに、ＵＥ１０６のＳＤＩ存在検出コンポーネント４４０は、基地局がニュートラルホストネットワークについてのＳＤＩを送信するようにスケジュールされているかどうかを示すＳＤＩインジケータを含むシステム情報について（たとえば、トランシーバ４０４を介して）キャリアを監視することができる。たとえば、ＵＥ１０６は、キャリア上でｅＮＢ１０８からの信号を検出することに基づいて、構成に基づいてなど、キャリアを知り得る。いずれの場合も、キャリアは、ｅＮＢ１０８によって動作される無線アクセス技術（たとえば、ＬＴＥ、ＷｉＦｉなど）に対応する、１つまたは複数のキャリアまたは他の周波数リソースに対応し得る。たとえば、ＳＤＩインジケータは、ＳＤＩ４８０をブロードキャストするかまたはさもなければ送信するより前に、キャリア上でシステム情報中で基地局（たとえば、ｅＮＢ１０８）によってブロードキャストされ得る。特定の例では、ｅＮＢ１０８は、ＳＤＩを含むことができるＳＩＢまたは他の通信の前に送信される、ｅＮＢ１０８によって通信される最初の（initial）１つまたは複数のＳＩＢまたはＭＩＢを含み得る、１つまたは複数のＳＩＢ、ＭＩＢなどの中でＳＤＩインジケータをブロードキャストし得る。一例では、ｅＮＢ１０８は、ｅＮＢ１０８によってサポートされる（１つまたは複数の）接続性タイプを示す同じＳＩＢ中でＳＤＩインジケータをブロードキャストし得る。この点についてＳＤＩインジケータを使用することは、ｅＮＢ１０８がデフォルトでＳＤＩを送ることを控えることを可能にすることができ、これは、スペクトルおよび処理オーバーヘッドを節約することができる。一例では、ＳＤＩ存在指示コンポーネント４６２は、ＳＤＩ通信コンポーネント４６０が後続のブロードキャスト中でＳＤＩ４８０を通信するようにスケジュールされているかどうかを示すために、ＳＤＩインジケータを生成するかまたはさもなければ初期化することができる。
【００５３】
[0060]方法５００はまた、ブロック５０８において、ＳＤＩインジケータが、基地局がＳＤＩを送信するようにスケジュールされていることを示すかどうかを決定することを含む。一態様では、たとえば、（１つまたは複数の）プロセッサ４０２、メモリ４０３、および／またはトランシーバ４０４とともに、ＵＥ１０６のＳＤＩ存在検出コンポーネント４４０は、ＳＤＩインジケータが、基地局（たとえば、ｅＮＢ１０８）がＳＤＩを送信するようにスケジュールされていることを示すかどうかを決定することができる。たとえば、ＳＤＩインジケータは、ＳＩＢ、ＭＩＢなどの中のビット値であり得、したがって、ＳＤＩ存在検出コンポーネント４４０は、値に基づいて、ＳＤＩインジケータが、ｅＮＢ１０８がＳＤＩを送信するようにスケジュールされていることを示すかどうかを決定し得る。一例では、ＳＤＩ存在検出コンポーネント４４０は、ＳＤＩインジケータがそもそも存在するかどうかを決定し得、インジケータが存在しない場合、ｅＮＢ１０８がＳＤＩを送信するようにスケジュールされていない（またはＳＤＩの送信をサポートしないなど）と決定することができる。
【００５４】
[0061]ＳＤＩインジケータが、ブロック５０８において、基地局がＳＤＩを送信するようにスケジュールされていることを示す場合、本方法は、ブロック５１０において、基地局からブロードキャストされたＳＤＩを受信することをさらに含み得る。一態様では、たとえば、（１つまたは複数の）プロセッサ４０２、メモリ４０３、および／またはトランシーバ４０４とともに、ＵＥ１０６のＳＤＩ受信コンポーネント４４２は、基地局から（たとえば、ｅＮＢ１０８から）ブロードキャストされたＳＤＩ４８０を（たとえば、トランシーバ４０４を介して）受信することができる。たとえば、ＳＤＩ受信コンポーネント４４２は、ＳＩＢインジケータを含むＳＩＢ、ＭＩＢなどに後続する１つまたは複数のＳＩＢ中で、ＳＤＩ４８０を受信することができ、これは、ＳＤＩインジケータを受信することに基づき得る。たとえば、ＳＤＩ送信コンポーネント４６４は、示されたＳＤＩインジケータに基づいて、１つまたは複数のＳＩＢ中でＳＤＩ４８０をブロードキャストすることができる。一例では、ＳＤＩインジケータは、さらに、ＳＤＩに関係する１つまたは複数のパラメータ（たとえば、ＳＤＩを含むＳＩＢのインデックス、１つまたは複数のＳＩＢ内のＳＤＩの位置、ＳＤＩのサイズ、および／または同種のもの）を指定し得る。
【００５５】
[0062]方法５００はまた、ブロック５１２において、ＳＤＩを処理することを含む。一態様では、たとえば、（１つまたは複数の）プロセッサ４０２、メモリ４０３、および／またはトランシーバ４０４とともに、ＳＤＩ処理コンポーネント４２０は、ＳＤＩを処理し得る。たとえば、ＵＥ１０６のＳＤＩ処理コンポーネント４２０は、ＳＤＩ４８０の少なくとも一部分をｅＮＢ１０８に関連付け得る。ＳＤＩ処理コンポーネント４２０は、たとえば、ＳＤＩに基づいて、ｅＮＢまたは関係するサービスを選択することを可能にするためにサービス選択コンポーネント４２２に与えるために、ＵＥ１０６がそれへのアクセスを要求することができるｅＮＢおよび／または関係するサービスのリストを生成し得る。一例では、サービス選択コンポーネント４２２は、ＵＥ１０６のディスプレイ（図示せず）上に表示されるグラフィカルユーザインターフェース、１つまたは複数のプロセッサ４０２上で実行している１つまたは複数のアプリケーションによってアクセス可能なアプリケーションプログラムインターフェースなどを含み得る、インターフェースコンポーネント４２４にリストを提示し得る。いずれの場合も、たとえば、インターフェースコンポーネント４２４は、ＳＤＩ４８０中で指定された１つまたは複数のｅＮＢまたは関係するサービスの選択を可能にし得、したがって、ＵＥ１０６は、トランシーバ４０４を介して１つまたは複数のｅＮＢまたは関係するサービスへのアクセスを要求することができる。別の例では、サービス選択コンポーネント４２２は、ｅＮＢ１０８から受信されたＳＤＩ４８０中で示されるかまたはさもなければそれに関係する１つまたは複数のサービスを決定することに基づいて、ｅＮＢ１０８または関係するサービスを自動的に選択し得る。この点についてｅＮＢ１０８または関係するサービスの選択は、一例では、サービス選択コンポーネント４２２が１つまたは複数のサービスへのアクセスをｅＮＢ１０８から要求することを含み得る。したがって、一例では、ＳＤＩの処理に基づいて、サービス選択コンポーネント４２２は、ＳＤＩ中で示されている好適なサービスプロバイダまたは好適なＭＮＯ  ＰＬＭＮを識別し得、好適なサービスプロバイダおよび／またはＰＬＭＮにアクセスするためにｅＮＢ１０８への接続を開始することができる。
【００５６】
[0063]ＳＤＩインジケータが、ブロック５０８において、基地局がＳＤＩを送信するようにスケジュールされていることを示さない場合、方法５００は、ブロック５１４において、ＳＤＩをブロードキャストするようにとの要求を基地局に送信することを随意に含むことができる。一態様では、たとえば、（１つまたは複数の）プロセッサ４０２、メモリ４０３、および／またはトランシーバ４０４とともに、ＵＥ１０６のＳＤＩ要求コンポーネント４４４は、ＳＤＩをブロードキャストするようにとのＳＤＩ要求４８２を（たとえば、トランシーバ４０４を介して）基地局（たとえば、ｅＮＢ１０８）に送信することができる。一例では、ＳＤＩ要求コンポーネント４４４は、ＵＥ１０６がｅＮＢ１０８にアタッチされる前に、非アクセス層（ＮＡＳ）メッセージ中でＳＤＩ要求４８２を送信することができる。一例では、ＮＡＳメッセージを送信することは、ＳＤＩ要求コンポーネント４４４が、ｅＮＢ１０８との無線リソース制御（ＲＲＣ）接続（たとえば、ｅＮＢ１０８へのアタッチ）を開始するための初期アクセスチャネル要求の一部として、ＳＤＩ要求４８２を送信することを含むことができる。詳細には、一例では、ブロック５１４において要求を送信することは、ブロック５１６において、ＳＤＩをブロードキャストするようにとの要求を示す値をもつ物理ランダムアクセスチャネル（ＰＲＡＣＨ）を送信することを随意に含み得る。一態様では、たとえば、（１つまたは複数の）プロセッサ４０２、メモリ４０３、および／またはトランシーバ４０４とともに、ＳＤＩ要求コンポーネント４４４は、ＳＤＩをブロードキャストするようにとの要求を示す値（たとえば、原因コード（cause code））をもつＰＲＡＣＨ要求（たとえば、ＳＤＩ要求４８２）を送信することができる。たとえば、ＳＤＩ要求コンポーネント４４４は、ｅＮＢ１０８との通信を開始するためにｅＮＢ１０８によって与えられたアクセスチャネル上でＰＲＡＣＨ要求を送信することができ、ここで、ＰＲＡＣＨ要求は、ＳＤＩをブロードキャストするようにとの要求を示す値を含み得る。別の例では、ＳＤＩ要求コンポーネント４４４は、ＲＲＣリソースがＵＥ１０６とｅＮＢ１０８との間に確立されるとＲＲＣメッセージ上で、またはさもなければユニキャストシグナリング、アクセス層（ＡＳ）メッセージなどを使用して、ＳＤＩ要求４８２を送信することができる。一例では、ＳＤＩ要求４８２はまた、ＵＥ１０６とｅＮＢ１０８との間の通信を確立するためのランダムアクセスプロシージャにおけるＰＲＡＣＨメッセージであり得る。
【００５７】
[0064]いずれの場合も、ブロック５１４において要求を送信した後に、方法５００は、基地局がニュートラルホストネットワークについてのＳＤＩを送信するようにスケジュールされていることを示すＳＤＩインジケータを含むシステム情報についてキャリアを監視するために、ブロック５０６に進むことができる。以下でさらに説明されるように、ｅＮＢ１０８は、ＵＥ１０６からのＳＤＩ要求４８２に基づいてＳＤＩを直ちにブロードキャストし始めないことがあり、したがって、ＵＥ１０６は、時間期間の間キャリアを監視し続け得、その後に、ＵＥ１０６は、たとえば、ＳＤＩ要求をｅＮＢ１０８に再び送信するか、またはさもなければｅＮＢ１０８がＳＤＩ４８０を送信されないと決定し得る。
【００５８】
[0065]一例では、ｅＮＢ１０８によってブロードキャストされるＳＤＩ４８０は、ｅＮＢ１０８からの利用可能なＳＤＩ情報（たとえば、ニュートラルホストネットワークをサポートする１つまたは複数のサービスプロバイダまたはモバイルネットワーク事業者パブリックランドモバイルネットワークのインジケーション）の一部分（たとえば、それのサブセット）を含む部分的ＳＤＩ（たとえば、ＳＤＩの部分的セット）を含み得る。部分的ＳＤＩを受信すると、ＵＥ１０６は、サービス選択コンポーネント４２２に与えるための追加のＳＤＩを要求すべきかどうかを決定し得る。したがって、ＵＥ１０６は、デフォルトですべての利用可能なＳＤＩを受信し、処理する必要があるとは限らず、ｅＮＢ１０８は、必ずしも、デフォルトですべての利用可能なＳＤＩをブロードキャスト／送信する必要があるとは限らない。ＵＥ１０６が、たとえば、ブロック５１２においてＳＤＩを処理した後に（またはブロック５１０においてブロードキャストされたＳＤＩを受信した後に）追加のＳＤＩを受信することを決定する場合、方法５００はまた、ブロック５１８において、追加のＳＤＩについての追加の要求を基地局に送信することを随意に含み得る。一態様では、たとえば、（１つまたは複数の）プロセッサ４０２、メモリ４０３、および／またはトランシーバ４０４とともに、ＳＤＩ要求コンポーネント４４４は、追加のＳＤＩについての追加の要求を基地局（たとえば、ｅＮＢ１０８）に送信することができる。たとえば、ＳＤＩ要求コンポーネント４４４は、ｅＮＢ１０８によってＵＥ１０６に許可されたリソース上でユニキャストシグナリングを使用して、追加の要求を送信することができる。追加情報のためにユニキャストシグナリングを使用することは、たとえば、ｅＮＢ１０８が、（１つまたは複数の）要求するＵＥ（requesting UE(s)）への専用シグナリングを使用することによって、１つまたは複数のＵＥからの要求時にさらなるＳＤＩを送信しながら、（たとえば、説明されたように要求に応じて、または他の方法で）部分的ＳＤＩをブロードキャストすることを可能にすることによって、ブロードキャストリソースを節約することができる。
【００５９】
[0066]一例では、ブロック５１８において追加の要求を送信することは、ブロック５２０において、後続のＰＲＡＣＨメッセージ中で追加の要求を基地局に送信することを随意に含み得る。一態様では、たとえば、（１つまたは複数の）プロセッサ４０２、メモリ４０３、および／またはトランシーバ４０４とともに、ＵＥ１０６のＳＤＩ要求コンポーネント４４４は、後続のＰＲＡＣＨメッセージ中で追加の要求を基地局に（たとえば、ｅＮＢ１０８に）送信することができる。たとえば、後続のＰＲＡＣＨメッセージは、ｅＮＢ１０８との接続を確立するためのランダムアクセスプロシージャにおける別のメッセージを含み得る。たとえば、ｅＮＢ１０８は、（説明されたように、ＳＤＩをブロードキャストするようにとのｅＮＢ１０８についての初期要求を含み得る）ＵＥ１０６から受信された初期ＰＲＡＣＨメッセージに応答して、ＲＲＣリソースをＵＥ１０６に許可することができ、別のＰＲＡＣＨメッセージを通信するためのＲＲＣリソースはまた、追加のＳＤＩを要求するために使用され得る。たとえば、追加のＳＤＩは、オンライン証明プロビジョニング（online credential provisioning）がｅＮＢ１０８に関係する１つまたは複数のサービスプロバイダのために利用可能であるかどうか、１つまたは複数のサービスプロバイダがオンラインサインアップを提供するかどうか、ｅＮＢ１０８によって提供される１つまたは複数のサービス、ｅＮＢ１０８によって提供される１つまたは複数のアクセスポイント名、または１つまたは複数のサービスプロバイダのためのアイコンなどのインジケーションなど、ＳＤＩの１つまたは複数の他の部分を含むことができる。
【００６０】
[0067]方法５００はまた、ブロック５２２において、基地局から追加のＳＤＩを受信することを随意に含み得る。たとえば、（１つまたは複数の）プロセッサ４０２、メモリ４０３、および／またはトランシーバ４０４とともに、ＵＥ１０６のＳＤＩ受信コンポーネント４４２は、基地局（たとえば、ｅＮＢ１０８）から追加のＳＤＩを、（たとえば、トランシーバ４０４を介して）受信することができる。たとえば、ＳＤＩ受信コンポーネント４４２は、ｅＮＢ１０８からユニキャストシグナリング中で（たとえば、ｅＮＢ１０８によって、そこからの通信を受信するためにＵＥ１０６に許可されたＲＲＣリソース中で）追加のＳＤＩを受信することができる。特定の例では、ブロック５２２において追加のＳＤＩを受信することは、ブロック５２４において、基地局からＰＲＡＣＨメッセージ中で追加のＳＤＩを受信することを随意に含み得る。一態様では、たとえば、（１つまたは複数の）プロセッサ４０２、メモリ４０３、および／またはトランシーバ４０４とともに、ＵＥ１０６のＳＤＩ受信コンポーネント４４２は、基地局から（たとえば、ｅＮＢ１０８から）ＰＲＡＣＨメッセージ中で追加のＳＤＩを受信することができる。たとえば、ＰＲＡＣＨメッセージは、ＵＥ１０６によって送信された後続のＰＲＡＣＨメッセージへのＰＲＡＣＨ応答メッセージを含み得る。いずれの場合も、ＳＤＩ受信コンポーネント４４２は、この例では、ＳＤＩ送信コンポーネント４６４によって送信され得る、ｅＮＢ１０８からの複数のブロードキャストおよび／または送信中でＳＤＩを受信することができる。次いで、方法５００はブロック５１２に進むことができ、ここで、ＳＤＩは、上記で説明されたように処理され得る。
【００６１】
[0068]図６は、（たとえば、ＳＤＩ通信コンポーネント４６０を動作させるｅＮＢによる）ニュートラルホストネットワークにおいてＳＤＩをブロードキャストするかまたはさもなければ送信するための方法６００の一例を示す。方法６００では、点線ボックスとして示されたブロックは、随意のステップを表す。
【００６２】
[0069]方法６００は、ブロック６０２において、ＵＥからＳＤＩ要求を受信することを含む。一態様では、たとえば、（１つまたは複数の）プロセッサ４５２、メモリ４５３、および／またはトランシーバ４５４とともに、ｅＮＢ１０８のＳＤＩ要求受信コンポーネント４６６は、ＵＥ１０６からＳＤＩ要求４８２を受信することができる。たとえば、ＳＤＩ要求受信コンポーネント４６６は、ＵＥ１０６と以前に確立された１つまたは複数のアップリンクチャネル上で、ユニキャストシグナリング中でＵＥ１０６によって送られた要求中でＳＤＩ要求４８２を受信することができる。別の例では、ブロック６０２においてＳＤＩ要求を受信することは、ブロック６０４において、ＵＥからＰＲＡＣＨメッセージ中でＳＤＩ要求を受信することを随意に含み得る。一態様では、たとえば、（１つまたは複数の）プロセッサ４５２、メモリ４５３、および／またはトランシーバ４５４とともに、ＳＤＩ要求受信コンポーネント４６６は、ＵＥ１０６からＰＲＡＣＨメッセージ中でＳＤＩ要求４８２を受信することができ、それは、ＵＥ１０６とｅＮＢ１０８との間の接続を確立するためのランダムアクセスプロシージャの一部として、アクセスチャネル上で受信され得る。たとえば、ＳＤＩ要求受信コンポーネント４６６は、ＰＲＡＣＨメッセージ中で指定された値（たとえば、ＰＲＡＣＨメッセージのための原因コード）に基づいて、ＵＥ１０６がｅＮＢ１０８にＳＤＩをブロードキャストするように要求していると決定することができる。
【００６３】
[0070]方法６００はまた、ブロック６０６において、ＳＤＩ要求に少なくとも部分的に基づいて、システム情報中で、または１つまたは複数のブロードキャストチャネル上でＳＤＩをブロードキャストすることを含む。一態様では、たとえば、（１つまたは複数の）プロセッサ４５２、メモリ４５３、および／またはトランシーバ４５４とともに、ｅＮＢ１０８のＳＤＩ送信コンポーネント４６４は、ＳＤＩ要求４８２に少なくとも部分的に基づいて、システム情報中でまたは１つまたは複数のブロードキャストチャネル上で（たとえば、トランシーバ４５４を介して）ＳＤＩをブロードキャストすることができる。たとえば、ＳＤＩ送信コンポーネント４６４は、説明されたように、キャリア上で送信される１つまたは複数のＳＩＢ中でシステム情報をブロードキャストすることができ、ここで、ＳＤＩを通信するために新しいＳＩＢが定義され得る（本明細書ではＳＩＢｘｘと呼ばれる）。別の例では、ＳＤＩ送信コンポーネント４６４は、ＵＥ１０６が、ＳＤＩを受信するために（たとえば、キャリアに対応する知られているかまたは受信された構成に基づいて、またはさもなければキャリア上で送信された信号を検出することに基づいて）監視することができるキャリア上で、１つまたは複数のブロードキャストチャネル（たとえば、ＬＴＥにおける１次ブロードキャストチャネル（ＰＢＣＨ：primary broadcast channel））上でＳＤＩをブロードキャストすることができる。
【００６４】
[0071]一例では、方法６００は、ブロック６０８において、ＳＤＩ要求に基づいてＳＤＩをブロードキャストする前に持続時間を待つことを随意に含み得る。一態様では、たとえば、（１つまたは複数の）プロセッサ４５２、メモリ４５３、および／またはトランシーバ４５４とともに、ｅＮＢ１０８のＳＤＩ送信コンポーネント４６４は、ＳＤＩ要求に基づいてＳＤＩをブロードキャストする前に持続時間を待つことができる。たとえば、持続時間は、ｅＮＢ１０８において、他のＵＥが、場合によっては（possibly）ＳＤＩを要求し、および／または受信することを可能にするように構成され得る。一例では、持続時間は、ＳＤＩ送信コンポーネント４６４がＳＤＩをブロードキャストする前に、ＳＤＩ要求受信コンポーネント４６６が、１つまたは複数のＵＥから受信された少なくともしきい値数（threshold number）のＳＤＩ要求を検出することなど、１つまたは複数のイベントを検出することに関係するかまたはそれに基づいて決定され得る。
【００６５】
[0072]その上、方法６００は、ブロック６１０において、システム情報中でＳＤＩの存在を示す追加システム情報をブロードキャストすることを随意に含み得る。一態様では、たとえば、（１つまたは複数の）プロセッサ４５２、メモリ４５３、および／またはトランシーバ４５４とともに、ｅＮＢ１０８のＳＤＩ存在指示コンポーネント４６２は、システム情報中でＳＤＩ４８０の存在を示す追加のシステム情報（たとえば、ＳＤＩインジケータ）をブロードキャストすることができる。たとえば、ＳＤＩ存在指示コンポーネント４６２は、ＳＤＩ４８０を含むＳＩＢまたは他の通信より前に（たとえば、ＳＩＢｘｘより前に）、（本明細書ではｅＳＩＢと呼ばれる）ＳＩＢ、ＭＩＢなどの中でＳＤＩインジケータを含む追加のシステム情報をブロードキャストすることができる。この点についてＳＤＩインジケータを使用することは、ＵＥが、後続のＳＩＢまたは他の通信中でＳＤＩを受信することを試みる前に、ＳＤＩの存在を検出することを可能にすることができる。説明されたように、ＳＤＩインジケータは、ある値に初期化されるかまたはＳＩＢ、ＭＩＢなどの中に含まれ得る前のＳＩＢ、ＭＩＢなどの中のビット値を含むことができ、ここで、ＳＤＩは後続のＳＩＢ中で送信される。
【００６６】
[0073]一例において説明されたように、ｅＮＢ１０８によってブロードキャストされるＳＤＩは、利用可能なＳＤＩの一部分を含む部分的ＳＤＩであり得る。したがって、方法６００はまた、ブロック６１２において、ＵＥから追加のＳＤＩについての追加の要求を受信することを随意に含み得る。一態様では、たとえば、（１つまたは複数の）プロセッサ４５２、メモリ４５３、および／またはトランシーバ４５４とともに、ｅＮＢ１０８のＳＤＩ要求受信コンポーネント４６６は、ＵＥ１０６から追加のＳＤＩについての追加の要求を（たとえば、トランシーバ４５４を介して）受信することができ、これは、ＵＥ１０６が、部分的ＳＤＩを受信することと、ｅＮＢ１０８について追加のＳＤＩを受信することを望むこととに基づき得る。上記で説明された一例では、ＵＥ１０６は、ｅＮＢ１０８によってＵＥ１０６に許可されたリソース（たとえば、ＲＲＣレイヤリソース）上にあり得る、ユニキャストシグナリング中で追加の要求をｅＮＢ１０８に送信することができる。一例では、ブロック６１２において追加の要求を受信することは、ブロック６１４において、ＵＥから後続のＰＲＡＣＨメッセージ中で追加の要求を受信することを随意に含み得る。一態様では、たとえば、（１つまたは複数の）プロセッサ４５２、メモリ４５３、および／またはトランシーバ４５４とともに、ｅＮＢ１０８のＳＤＩ要求受信コンポーネント４６６は、ＵＥ１０６から後続のＰＲＡＣＨメッセージ中で追加の要求を受信し得る。たとえば、後続のＰＲＡＣＨメッセージは、ＳＤＩをブロードキャストするようにとのｅＮＢ１０８についての初期要求がその中で受信されるＰＲＡＣＨメッセージに後続し得る。後続のＰＲＡＣＨメッセージは、説明されたように、ＵＥ１０６とｅＮＢ１０８との間の接続を確立するためのそれらの間の同じランダムアクセスプロシージャの一部であり得る。
【００６７】
[0074]方法６００はまた、ブロック６１６において、追加のＳＤＩをＵＥに送信することを随意に含み得る。一態様では、たとえば、（１つまたは複数の）プロセッサ４５２、メモリ４５３、および／またはトランシーバ４５４とともに、ＳＤＩ送信コンポーネント４６４は、追加のＳＤＩをＵＥ１０６に（たとえば、トランシーバ４５４を介して）送信することができる。たとえば、ｅＮＢ１０８のＳＤＩ送信コンポーネント４６４は、ＵＥ１０６から受信された追加のＳＤＩ要求に応答して、追加のＳＤＩを送信することができ、したがって、ユニキャストシグナリング中で（たとえば、ｅＮＢ１０８によってＵＥ１０６に許可されたＲＲＣリソース上で）追加のＳＤＩをＵＥ１０６に送信し得る。したがって、ブロック６１６において追加のＳＤＩを送信することは、ブロック６１８において、ＰＲＡＣＨメッセージに応答して追加のＳＤＩを送信することを随意に含み得る。説明されたように、たとえば、（１つまたは複数の）プロセッサ４５２、メモリ４５３、および／またはトランシーバ４５４とともに、ＳＤＩ送信コンポーネント４６４は、ランダムアクセスプロシージャの一部としてＵＥ１０６から受信された後続のＰＲＡＣＨメッセージに応答して、別のＰＲＡＣＨメッセージ中で追加のＳＤＩを送信し得る。いずれの場合も、ＵＥ１０６は、上記で説明されたように、ＳＤＩを受信し、処理することができる。
【００６８】
[0075]図７は、上記で説明された態様による、システム７００、７０２、および１つまたは複数のＵＥ１０６、７１０、７１２とｅＮＢ１０８との間の通信を含む、それらのコンポーネント間のメッセージフローの例を示す。たとえば、システム７００は、ｅＮＢ１０８と通信しているＵＥ１  ７１０およびＵＥ２  ７１２を含み、ここで、ＵＥ１  ７１０およびＵＥ２  ７１２の各々は、図１〜図４において図示および説明されたＵＥ１０６と同様であり得る。この例では、ｅＮＢ１０８は、ＳＤＩを搬送するＳＩＢ（ＳＩＢｘｘ）がｅＮＢ１０８による送信のためにスケジュールされていないことを示すインジケータＳＩＢｘｘ＝ＯＦＦを含み得る、拡張ＳＩＢ（ｅＳＩＢ）またはＭＩＢ７２０をブロードキャストすることができる。ｅＳＩＢまたはＭＩＢは、説明されたように、モバイルネットワークＲＡＴ（たとえば、ＬＴＥ）において定義されている１つまたは複数のＳＩＢ、ＭＩＢなどを含み得る初期ＳＩＢブロードキャストに対応し得る。ＵＥ１  ７１０は、ｅＳＩＢまたはＭＩＢ７２０を受信することができ、７２１において、ＬＴＥ−Ｕ−Ｗ展開と、追加情報が必要とされることとを検出することができる。ＵＥは、ＬＴＥ−Ｕ−Ｗ／Ｍ／Ｏネットワーク（たとえば、ニュートラルホストネットワーク）を探索して、このネットワークを介してサービスを提供するサービスプロバイダ／事業者を見つけることができる。たとえば、ｅＳＩＢまたはＭＩＢ７２０は、ｅＮＢ１０８のためのＬＴＥ−Ｕ−Ｗの接続性タイプを示すことができ、この接続性タイプは、ＵＥ１  ７１０に、ＬＴＥ−Ｕ−Ｗ展開と、追加のＳＤＩが要求されるかまたはさもなければ望まれていることとを検出させることができる。
【００６９】
[0076]したがって、ＵＥ１は、ＳＤＩをブロードキャストし始めるようにとのｅＮＢ１０８についての要求を示すために、初期ＰＲＡＣＨメッセージの形態である得るプローブ７２２をｅＮＢ１０８に送信することができる。これは、ｅＮＢ１０８に、ＳＩＢｘｘ＝ＯＮ（たとえば、ＳＤＩが、ｅＮＢ１０８による送信のためにスケジュールされていること）を示すｅＳＩＢまたはＭＩＢ７２３をブロードキャストし始めさせることができる。一例では、ＵＥ２  ７１２は、７２４において、ｅＮＢ１０８を含み得る１つまたは複数のｅＮＢからｅＳＩＢまたはＭＩＢを取得することを開始し得る。したがって、ＵＥ２  ７１２はまた、（たとえば、ｅＮＢ１０８を特にプローブすることなしに）ＳＩＢｘｘ＝ＯＮを示すｅＳＩＢまたはＭＩＢ７２５を受信することができる。したがって、ｅＮＢ１０８は、（サービス発見プロトコル（ＳＤＰ：service discovery protocol）情報とも呼ばれる）ＳＤＩをもつＳＩＢｘｘ７２６、７２７をブロードキャストする。ＵＥ１  ７１０は、７２８において、ｅＮＢ１０８からＳＤＩを取得するためにＳＩＢｘｘを獲得することができ、ＵＥ２  ７１２はまた、７２８において、７２６におけるｅＮＢ１０８からのＳＤＩを取得するためにＳＩＢｘｘを獲得することができる。ＵＥ１  ７１０は、ＳＤＩを要求する前にＳＤＩインジケータを検査することができるので、この例は、いくつかのＵＥが、同様の時間において、ｅＮＢ１０８によってカバーされたエリアに入る場合に好適であり得、したがって、各ＵＥは、ＳＤＩ送信をｅＮＢ１０８から要求する必要がない。
【００７０】
[0077]システム７０２は、ＵＥ１  ７０１と、ＵＥ２  ７１２と、ｅＮＢ１０８とを含む。このシステム７０２では、ｅＮＢ１０８は、システム７００において説明されたようにＵＥ１からプローブ７２２を受信する。ｅＮＢ１０８は、ＵＥ２  ７１２からプローブ７３２をなど、追加のＵＥから追加のプローブを潜在的に（potentially）受信するために、持続時間Ｔを待つことができる。プローブ７３２はまた、ＵＥ２  ７１２からのＰＲＡＣＨ要求であり得る。時間Ｔの後に、ｅＮＢ１０８は、（たとえば、ＳＩＢｘｘ中で）ＳＤＩ７２６、７２７をブロードキャストすることができる。いずれのシステム７００、７０２でも、たとえば、ＳＤＩは、ｅＮＢ１０８に対応するＬＴＥ−Ｕ−Ｏ／Ｗ（ニュートラルホスト）ネットワークを介してサービスを提供するサービスプロバイダおよびＭＮＯ  ＰＬＭＮを与えることに限定され得る。オンラインプロビジョニングが、特定のサービスプロバイダ、提供されるサービス、提供されるＡＰＮなどのために利用可能であるかどうかなど、より詳細な情報が、本明細書で説明されるように、ＲＲＣシグナリング上で与えられ得る。
【００７１】
[0078]図８は、部分的ＳＤＩを通信するためのシステム８００およびそれのコンポーネント間のメッセージフローの一例を示す。システム８００は、説明されるようにワイヤレスネットワークにおいて通信することができる、ＵＥ１０６とｅＮＢ１０８とを含む。たとえば、ｅＮＢ１０８は、ＵＥ１０６によって受信され得るＳＩＢおよび／またはＭＩＢ８０２をブロードキャストすることができる。ＳＩＢ／ＭＩＢは、ＳＩＢｘｘがブロードキャストされているかどうかを示し得、部分的ＳＤＩを含み得、それは、８０４おいてＳＩＢｘｘを介して取得され得る、など。ＵＥ１０６は、説明されたように、ｅＮＢ１０８とのユニキャスト接続（たとえば、ＲＲＣ接続）を確立するために拡張ＰＲＡＣＨ８０６をｅＮＢ１０８に送信し得る。（たとえば、８０４において部分的ＳＤＩが受信されない）一例では、ｅＰＲＡＣＨは、ｅＮＢ１０８にＳＤＩを送信し始めるように要求するための値を含み得る。いずれの場合も、ｅＮＢ１０８は、ＲＲＣ接続を確立するために（たとえば、競合解消とともに）ランダムアクセス応答（ＲＡＲ）８０８をＵＥ１０６に送信することができる。ＵＥ１０６は、次いで、（ＰＲＡＣＨプロシージャにおいてメッセージ３と呼ばれる）ＲＲＣメッセージ８１０をｅＮＢ１０８に送信することができ、それはまた、追加のＳＤＩについての要求（たとえば、ＳＤＰ問合せ）を含み得る。ｅＮＢ１０８は、（ＰＲＡＣＨプロシージャにおいてメッセージ４と呼ばれる）別のＲＲＣメッセージ８１２を用いてＵＥ１０６に応答することができ、それはまた、追加のＳＤＩ（たとえば、ＳＤＰ応答）をも含み得る。
【００７２】
[0079]本明細書で開示された実施形態に関して説明された様々な例示的な論理、論理ブロック、モジュール、コンポーネント、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、個別ゲートまたはトランジスタ論理、個別ハードウェアコンポーネント、あるいは本明細書で説明された機能を実行するように設計されたそれらの任意の組合せを用いて実装または実行され得る。汎用プロセッサはマイクロプロセッサであり得るが、代替として、プロセッサは、任意の従来のプロセッサ、コントローラ、マイクロコントローラ、または状態機械であり得る。プロセッサはまた、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他のそのような構成として実装され得る。さらに、少なくとも１つのプロセッサは、上記で説明されたステップおよび／またはアクションのうちの１つまたは複数を実行するように動作可能な１つまたは複数のモジュールを備え得る。例示的な記憶媒体は、プロセッサが記憶媒体から情報を読み取り、記憶媒体に情報を書き込むことができるようにプロセッサに結合され得る。代替として、記憶媒体はプロセッサに一体化され得る。さらに、いくつかの態様では、プロセッサおよび記憶媒体はＡＳＩＣ中に存在し得る。さらに、ＡＳＩＣはユーザ端末中に存在し得る。代替として、プロセッサおよび記憶媒体は、ユーザ端末中に個別コンポーネントとして存在し得る。
【００７３】
[0080]１つまたは複数の態様では、説明された機能、方法、またはアルゴリズムは、ハードウェア、ソフトウェア、ファームウェア、またはそれらの任意の組合せで実装され得る。ソフトウェアで実装される場合、機能は、１つまたは複数の命令またはコードとして、コンピュータプログラム製品に組み込まれ得る、コンピュータ可読媒体上に記憶されるか、あるいはコンピュータ可読媒体上で送信され得る。コンピュータ可読媒体は、ある場所から別の場所へのコンピュータプログラムの転送を可能にする任意の媒体を含む、コンピュータ記憶媒体と通信媒体の両方を含む。記憶媒体は、コンピュータによってアクセスされ得る任意の利用可能な媒体であり得る。限定ではなく例として、そのようなコンピュータ可読媒体は、ＲＡＭ、ＲＯＭ、ＥＥＰＲＯＭ、ＣＤ−ＲＯＭまたは他の光ディスクストレージ、磁気ディスクストレージまたは他の磁気ストレージデバイス、あるいは命令またはデータ構造の形態の所望のプログラムコードを搬送または記憶するために使用され得、コンピュータによってアクセスされ得る、任意の他の媒体を備えることができる。また、実質的にいかなる接続もコンピュータ可読媒体と呼ばれ得る。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、媒体の定義に含まれる。本明細書で使用するディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピーディスク（disk）およびｂｌｕ−ｒａｙ（登録商標）ディスク（disc）を含み、ディスク（disk）は、通常、データを磁気的に再生し、ディスク（disc）は、通常、データをレーザーで光学的に再生する。上記の組合せもコンピュータ可読媒体の範囲内に含まれるべきである。
【００７４】
[0081]上記の開示は、例示的な態様および／または実施形態について論じたが、添付の特許請求の範囲によって定義された説明された態様および／または実施形態の範囲から逸脱することなく、様々な変更および改変が本明細書で行われ得ることに留意されたい。さらに、説明された態様および／または実施形態の要素は、単数形で説明または特許請求されていることがあるが、単数形への限定が明示的に述べられていない限り、複数形が企図される。さらに、任意の態様および／または実施形態の全部または一部は、別段に記載されていない限り、任意の他の態様および／または実施形態の全部または一部とともに利用され得る。
以下に、本願出願の当初の特許請求の範囲に記載された発明を付記する。
［Ｃ１］
ニュートラルホストネットワークにおいてサービス発見情報（ＳＤＩ）を通信するための方法であって、
プロセッサによって、前記ニュートラルホストネットワークに関連する基地局を検出することと、
トランシーバによって、前記基地局が前記ニュートラルホストネットワークについてのＳＤＩを送信するようにスケジュールされていることを示すＳＤＩインジケータを含む前記基地局によるブロードキャストについてキャリアを監視することと、
前記トランシーバによって、前記ＳＤＩインジケータに基づいて前記基地局による追加のブロードキャスト中で前記ＳＤＩを受信することと
を備える、方法。
［Ｃ２］
前記基地局が前記ニュートラルホストネットワークに関連することを検出することは、前記ブロードキャスト中でニュートラルホストネットワーク情報を受信することをさらに備え、ここにおいて、前記ニュートラルホストネットワーク情報が、前記基地局を前記ニュートラルホストネットワークに関連するものとして識別する、［Ｃ１］に記載の方法。
［Ｃ３］
前記基地局が前記ＳＤＩをブロードキャストするようにスケジュールされていないことを前記ＳＤＩインジケータが示すと決定することに少なくとも部分的に基づいて、前記ＳＤＩをブロードキャストするようにとのＳＤＩ要求を前記基地局に送信することさらに備える、［Ｃ１］に記載の方法。
［Ｃ４］
前記ＳＤＩ要求を送信することが、前記ＳＤＩ要求を示すための値を有する物理ランダムアクセスチャネル（ＰＲＡＣＨ）要求を送信することを備える、［Ｃ３］に記載の方法。
［Ｃ５］
前記ＳＤＩ要求を送信することに応答して、前記ＳＤＩについて前記基地局の送信されるブロードキャストチャネルを監視することと、
前記ブロードキャストチャネル上で前記ＳＤＩを受信することと
をさらに備える、［Ｃ３］に記載の方法。
［Ｃ６］
前記ＳＤＩを受信することが、部分的ＳＤＩを受信することを備え、
前記基地局とのユニキャスト接続を確立することと、
前記ユニキャスト接続上で送られる物理ランダムアクセスチャネル（ＰＲＡＣＨ）メッセージ中で追加のＳＤＩについての要求を前記基地局に送信することと、
前記ユニキャスト接続上で前記基地局から前記追加のＳＤＩを受信することと
をさらに備える、［Ｃ１］に記載の方法。
［Ｃ７］
前記部分的ＳＤＩが、前記ニュートラルホストネットワークをサポートする１つまたは複数のサービスプロバイダまたはモバイルネットワーク事業者パブリックランドモバイルネットワークのインジケーションを備え、前記追加のＳＤＩは、オンライン証明プロビジョニングが前記１つまたは複数のサービスプロバイダのために利用可能であるかどうか、前記１つまたは複数のサービスプロバイダがオンラインサインアップを提供するかどうか、前記基地局によって提供される１つまたは複数のサービス、前記基地局によって提供される１つまたは複数のアクセスポイント名、または前記１つまたは複数のサービスプロバイダのためのアイコンのインジケーションのうちの少なくとも１つまたは複数を備える、［Ｃ６］に記載の方法。
［Ｃ８］
前記ＳＤＩが、前記ニュートラルホストネットワークをサポートする１つまたは複数のサービスプロバイダまたはモバイルネットワーク事業者パブリックランドモバイルネットワークのインジケーションを備える、［Ｃ１］に記載の方法。
［Ｃ９］
前記ＳＤＩは、オンライン証明プロビジョニングが前記１つまたは複数のサービスプロバイダのために利用可能であるかどうか、前記１つまたは複数のサービスプロバイダがオンラインサインアップを提供するかどうか、前記基地局によって提供される１つまたは複数のサービス、前記基地局によって提供される１つまたは複数のアクセスポイント名、または前記１つまたは複数のサービスプロバイダのためのアイコンのインジケーションのうちの少なくとも１つまたは複数をさらに備える、［Ｃ８］に記載の方法。
［Ｃ１０］
ワイヤレスアクセスのための１つまたは複数の基地局の選択を可能にするように構成されたユーザインターフェース上で与えられる前記１つまたは複数の基地局のリスト中に前記基地局を表示することをさらに備え、ここにおいて、１つまたは複数の基地局の前記リスト中に前記基地局を表示することが、前記ＳＤＩに少なくとも部分的に基づく、［Ｃ１］に記載の方法。
［Ｃ１１］
前記ユーザインターフェースを介した前記１つまたは複数の基地局の選択に基づいて、前記１つまたは複数の基地局との接続を開始することをさらに備える、［Ｃ１０］に記載の方法。
［Ｃ１２］
前記ＳＤＩ中の好ましいサービスプロバイダまたは好ましいモバイルネットワーク事業者パブリックランドモバイルネットワークおよび対応する好ましいサービスを識別することと、
前記好ましいサービスプロバイダまたは前記好ましいモバイルネットワーク事業者パブリックランドモバイルネットワークおよび前記対応する好ましいサービスにアクセスするために、前記基地局との接続を開始することと
をさらに備える、［Ｃ１］に記載の方法。
［Ｃ１３］
前記キャリアを監視することは、前記基地局がＳＤＩを送信するようにスケジュールされていることを示す前記基地局によってブロードキャストされるシステム情報ブロックまたはマスタ情報ブロックについて前記キャリアを監視することを備える、［Ｃ１］に記載の方法。
［Ｃ１４］
ニュートラルホストネットワークにおいてサービス発見情報（ＳＤＩ）を通信するための装置であって、
トランシーバと、
前記ニュートラルホストネットワークにおいて信号を通信するためにバスを介して前記トランシーバと通信可能に結合された少なくとも１つのプロセッサと、
前記バスを介して前記少なくとも１つのプロセッサおよび／または前記トランシーバと通信可能に結合されたメモリと
を備え、
ここにおいて、前記少なくとも１つのプロセッサは、
前記ニュートラルホストネットワークに関連する基地局を検出することと、
前記トランシーバを介して、前記基地局が前記ニュートラルホストネットワークについてのＳＤＩを送信するようにスケジュールされていることを示すＳＤＩインジケータを含む前記基地局によるブロードキャストについてキャリアを監視することと、
前記トランシーバを介して、前記ＳＤＩインジケータに基づいて前記基地局による追加のブロードキャスト中で前記ＳＤＩを受信することと
を行うように構成された、装置。
［Ｃ１５］
前記少なくとも１つのプロセッサは、前記ブロードキャスト中でニュートラルホストネットワーク情報を受信することに少なくとも部分的に基づいて、前記基地局が前記ニュートラルホストネットワークに関連することを検出するように構成され、ここにおいて、前記ニュートラルホストネットワーク情報が、前記基地局を前記ニュートラルホストネットワークに関連するものとして識別する、［Ｃ１４］に記載の装置。
［Ｃ１６］
前記少なくとも１つのプロセッサは、前記基地局が前記ＳＤＩをブロードキャストするようにスケジュールされていないことを前記ＳＤＩインジケータが示すと決定することに少なくとも部分的に基づいて、前記ＳＤＩをブロードキャストするようにとのＳＤＩ要求を前記基地局に送信するようにさらに構成された、［Ｃ１４］に記載の装置。
［Ｃ１７］
前記少なくとも１つのプロセッサは、部分的ＳＤＩを受信するように構成され、
前記基地局とのユニキャスト接続を確立することと、
前記ユニキャスト接続上で送られる物理ランダムアクセスチャネル（ＰＲＡＣＨ）メッセージ中で追加のＳＤＩについての要求を前記基地局に送信することと、
前記ユニキャスト接続上で前記基地局から前記追加のＳＤＩを受信することと
を行うようにさらに構成された、［Ｃ１４］に記載の装置。
［Ｃ１８］
前記ＳＤＩが、前記ニュートラルホストネットワークをサポートする１つまたは複数のサービスプロバイダまたはモバイルネットワーク事業者パブリックランドモバイルネットワークのインジケーションを備える、［Ｃ１４］に記載の装置。
［Ｃ１９］
前記少なくとも１つのプロセッサは、ワイヤレスアクセスのための１つまたは複数の基地局の選択を可能にするように構成されたユーザインターフェース上で与えられる前記１つまたは複数の基地局のリスト中に前記基地局を表示するようにさらに構成され、ここにおいて、１つまたは複数の基地局の前記リスト中に前記基地局を表示することが、前記ＳＤＩに少なくとも部分的に基づく、［Ｃ１４］に記載の装置。
［Ｃ２０］
前記少なくとも１つのプロセッサが、
前記ＳＤＩ中の好ましいサービスプロバイダまたは好ましいモバイルネットワーク事業者パブリックランドモバイルネットワークおよび対応する好ましいサービスを識別することと、
前記好ましいサービスプロバイダまたは前記好ましいモバイルネットワーク事業者パブリックランドモバイルネットワークおよび前記対応する好ましいサービスにアクセスするために、前記基地局との接続を開始することと
を行うようにさらに構成された、［Ｃ１４］に記載の装置。
［Ｃ２１］
前記少なくとも１つのプロセッサは、前記基地局がＳＤＩを送信するようにスケジュールされていることを示す前記基地局によってブロードキャストされるシステム情報ブロックまたはマスタ情報ブロックについて前記キャリアを監視するように構成された、［Ｃ１４］に記載の装置。
［Ｃ２２］
ニュートラルホストネットワークにおいてサービス発見情報（ＳＤＩ）を通信するための方法であって、
トランシーバによって、ユーザ機器（ＵＥ）からＳＤＩ要求を受信することと、
前記トランシーバによって、１つまたは複数の後続のブロードキャスト中で前記ＳＤＩの存在を示すＳＤＩインジケータをブロードキャストすることと、
前記トランシーバによって、前記ＳＤＩ要求を受信することに少なくとも部分的に基づいて前記１つまたは複数の後続のブロードキャスト中でＳＤＩをブロードキャストすることと、ここにおいて、前記１つまたは複数の後続のブロードキャストが、１つまたは複数のシステム情報ブロック（ＳＩＢ）または１つまたは複数のブロードキャストチャネルを含む、
を備える、方法。
［Ｃ２３］
前記ＳＤＩ要求を受信することが、前記ＳＤＩ要求を示すための値を有する物理ランダムアクセスチャネル（ＰＲＡＣＨ）要求を前記ＵＥから受信することを備える、［Ｃ２２］に記載の方法。
［Ｃ２４］
前記ＳＤＩをブロードキャストすることが、前記ＳＤＩ要求に応答して前記ＳＤＩの部分的セットをブロードキャストすることを含み、
前記ＵＥとのユニキャスト接続を確立することと、
前記ユニキャスト接続上で前記ＵＥから後続のＳＤＩ要求中で追加のＳＤＩについての要求を受信することと、
前記ユニキャスト接続上で前記追加のＳＤＩを送信することと
をさらに備える、［Ｃ２２］に記載の方法。
［Ｃ２５］
前記ＳＤＩをブロードキャストする前の持続時間を決定することをさらに備え、ここにおいて、前記ＳＤＩをブロードキャストすることが、前記持続時間の後に行われる、［Ｃ２２］に記載の方法。
［Ｃ２６］
前記ＳＤＩが、前記ニュートラルホストネットワークをサポートする１つまたは複数のサービスプロバイダまたはモバイルネットワーク事業者パブリックランドモバイルネットワークのインジケーションを備える、［Ｃ２２］に記載の方法。
［Ｃ２７］
前記ＳＤＩは、オンライン証明プロビジョニングが前記１つまたは複数のサービスプロバイダのために利用可能であるかどうか、前記１つまたは複数のサービスプロバイダがオンラインサインアップを提供するかどうか、提供される１つまたは複数のサービス、提供される１つまたは複数のアクセスポイント名、または前記１つまたは複数のサービスプロバイダのためのアイコンのインジケーションをさらに備える、［Ｃ２６］に記載の方法。
［Ｃ２８］
ニュートラルホストネットワークにおいてサービス発見情報（ＳＤＩ）を通信するための装置であって、
トランシーバと、
前記ニュートラルホストネットワークにおいて信号を通信するためにバスを介して前記トランシーバと通信可能に結合された少なくとも１つのプロセッサと、
前記バスを介して前記少なくとも１つのプロセッサおよび／または前記トランシーバと通信可能に結合されたメモリと
を備え、
ここにおいて、前記少なくとも１つのプロセッサは、
前記トランシーバを介して、ユーザ機器（ＵＥ）からＳＤＩ要求を受信することと、    前記トランシーバを介して、１つまたは複数の後続のブロードキャスト中で前記ＳＤＩの存在を示すＳＤＩインジケータをブロードキャストすることと、
前記トランシーバを介して、前記ＳＤＩ要求を受信することに少なくとも部分的に基づいて前記１つまたは複数の後続のブロードキャスト中でＳＤＩをブロードキャストすることと、ここにおいて、前記１つまたは複数の後続のブロードキャストが、１つまたは複数のシステム情報ブロック（ＳＩＢ）または１つまたは複数のブロードキャストチャネルを含む、
を行うように構成された、装置。
［Ｃ２９］
前記少なくとも１つのプロセッサが、前記ＳＤＩ要求を示すための値を有する物理ランダムアクセスチャネル（ＰＲＡＣＨ）要求中の前記ＳＤＩ要求を前記ＵＥから受信するように構成された、［Ｃ２８］に記載の装置。
［Ｃ３０］
前記少なくとも１つのプロセッサが、前記ＳＤＩ要求に応答して前記ＳＤＩの部分的セットとして前記ＳＤＩをブロードキャストするように構成され、ここにおいて、前記少なくとも１つのプロセッサが、
前記ＵＥとのユニキャスト接続を確立することと、
前記ユニキャスト接続上で前記ＵＥから後続のＳＤＩ要求中で追加のＳＤＩについての要求を受信することと、
前記ユニキャスト接続上で前記追加のＳＤＩを送信することと
を行うようにさらに構成された、［Ｃ２８］に記載の装置。
【図１】
0006612425.tif 000002
【図２】
0006612425.tif 000003
【図３】
0006612425.tif 000004
【図４】
0006612425.tif 000005
【図５】
0006612425.tif 000006
【図６】
0006612425.tif 000007
【図７】
0006612425.tif 000008
【図８】
0006612425.tif 000009